(57)【要約】  半永続的なスケジューリングのための方法、ネットワーク装置及び端末装置が開示される。方法は、端末装置へ、レイヤ１信号を介して第１のアップリンク（ＵＬ）ＳＰＳ構成メッセージを送信して、上記端末装置について構成された１つ以上のセルのうちのセルにおけるＵＬ  ＳＰＳグラントを構成し又は構成解除することと、上記端末装置から、上記第１のＵＬ  ＳＰＳ構成メッセージのコンファメーションのための第１のメディアアクセス制御（ＭＡＣ）制御エレメント（ＣＥ）を受信することと、を含み、上記第１のＭＡＣ  ＣＥは、上記第１のＵＬ  ＳＰＳ構成メッセージについてコンファメーションを行うための第１のインジケータを含み、又は、送信される２つ以上の第１のＵＬ  ＳＰＳ構成メッセージ及び受信される２つ以上の第１のＭＡＣ  ＣＥが存在する場合に、上記第１のＵＬ  ＳＰＳ構成メッセージと上記第１のＭＡＣ  ＣＥとの間に対応関係が存在する。【選択図】図２
2021510031.tif 000002
【特許請求の範囲】
【請求項１】
半永続的スケジューリング（ＳＰＳ）のための方法であって、
端末装置へ、レイヤ１信号を介して第１のアップリンク（ＵＬ）ＳＰＳ構成メッセージを送信して、前記端末装置について構成された１つ以上のセルのうちのセルにおけるＵＬ  ＳＰＳグラントを構成し又は構成解除することと、
前記端末装置から、前記第１のＵＬ  ＳＰＳ構成メッセージのコンファメーションのための第１のメディアアクセス制御（ＭＡＣ）制御エレメント（ＣＥ）を受信することと、を含み、
前記第１のＭＡＣ  ＣＥは、前記第１のＵＬ  ＳＰＳ構成メッセージについてコンファメーションを行うための第１のインジケータを含み、又は、送信される２つ以上の第１のＵＬ  ＳＰＳ構成メッセージ及び受信される２つ以上の第１のＭＡＣ  ＣＥが存在する場合に、前記第１のＵＬ  ＳＰＳ構成メッセージと前記第１のＭＡＣ  ＣＥとの間に対応関係が存在する、方法。
【請求項２】
請求項１に記載の方法であって、
前記端末装置へ、前記レイヤ１信号を介して複数の第２のＵＬ  ＳＰＳ構成メッセージを送信して、それぞれ前記１つ以上のセルのうちの複数のセルにおける複数のＵＬ  ＳＰＳグラントをそれぞれ構成し又は構成解除することと、
前記端末装置から、前記複数の第２のＵＬ  ＳＰＳ構成メッセージのコンファメーションのための第２のＭＡＣ  ＣＥを受信することと、をさらに含み、
前記第２のＭＡＣ  ＣＥは、前記複数の第２のＵＬ  ＳＰＳ構成メッセージについてコンファメーションを行うための第２のインジケータを含む、方法。
【請求項３】
請求項１又は２に記載の方法であって、前記第１のインジケータ及び前記第２のインジケータは、
１つ以上のセルインデックス、
１つ以上のＳＰＳ構成インデックス、
１つ以上のセルインデックスのビットマップ、及び
１つ以上のＳＰＳ構成インデックスのビットマップ、のうちの少なくとも１つを含む、方法。
【請求項４】
請求項３に記載の方法であって、１つ以上のセルインデックスの前記ビットマップは、最下位ビットから最上位ビットまで、前記１つ以上のセルインデックスの値に従って昇順で又は降順で並べられる、方法。
【請求項５】
請求項３又は４に記載の方法であって、１つ以上のセルインデックスの前記ビットマップの長さは、固定的であり、又は、前記端末装置について構成された前記セルの数に依存する、方法。
【請求項６】
請求項３乃至５のいずれか１項に記載の方法であって、前記端末装置について構成された各セルが１つ以上のセルインデックスの前記ビットマップにおいて対応するビットを有し、前記端末装置についてアクティブな各セルが１つ以上のセルインデックスの前記ビットマップにおいて対応するビットを有し、又は、前記端末装置についてＵＬ  ＳＰＳと共に構成されたアクティブな各セルが１つ以上のセルインデックスの前記ビットマップにおいて対応するビットを有する、方法。
【請求項７】
請求項３乃至６のいずれか１項に記載の方法であって、前記セルインデックスのサイズは、固定的であり、又は、キャリアアグリゲーションのシナリオにおいて構成することのできるセルの最大数に依存する、方法。
【請求項８】
請求項３乃至７のいずれか１項に記載の方法であって、ＵＬ  ＳＰＳ構成は、セルに関連付けられ、一意なＳＰＳ構成インデックスを割当てられる、方法。
【請求項９】
請求項３乃至８のいずれか１項に記載の方法であって、１つ以上のＳＰＳ構成インデックスの前記ビットマップは、最下位ビットから最上位ビットまで、前記１つ以上のＳＰＳ構成インデックスのそれぞれの値に従って昇順／降順で並べられる、方法。
【請求項１０】
請求項３乃至９のいずれか１項に記載の方法であって、前記１つ以上のＳＰＳ構成インデックスの前記ビットマップの長さは、固定的であり、又は、前記端末装置について構成された前記ＵＰ  ＳＰＳ構成の数に依存する、方法。
【請求項１１】
請求項３乃至１０のいずれか１項に記載の方法であって、前記ＭＡＣ  ＣＥにおける前記セルインデックスは、前記対応するセルに前記ＵＬ  ＳＰＳ構成が適用されることを示し、前記ＭＡＣ  ＣＥにおける前記ＳＰＳ構成インデックスは、セルに関連付けられる前記対応するＳＰＳ構成が前記ＵＬ  ＳＰＳ構成に適用されることを示す、方法。
【請求項１２】
請求項１乃至１１のいずれか１項に記載の方法であって、前記対応関係は、
前記第１のＭＡＣ  ＣＥの受信順に対応する前記第１のＵＬ  ＳＰＳ構成メッセージの送信順、
前記第１のＵＬ  ＳＰＳ構成メッセージの前記送信と前記第１のＭＡＣ  ＣＥの前記受信との間のタイミングの対応関係、及び
前記ＵＬ  ＳＰＳグラントが構成され又は構成解除される前記キャリアと、前記第１のＭＡＣ  ＣＥを送信するための前記キャリアとの間のキャリアの対応関係、のうちの少なくとも１つを含む、方法。
【請求項１３】
半永続的スケジューリング（ＳＰＳ）のための方法であって、
ネットワーク装置から、レイヤ１信号を介して第１のアップリンク（ＵＬ）ＳＰＳ構成メッセージを受信して、端末装置について構成された１つ以上のセルのうちのセルにおけるＵＬ  ＳＰＳグラントを構成し又は構成解除することと、
前記ネットワーク装置へ、前記第１のＵＬ  ＳＰＳ構成メッセージのコンファメーションのための第１のメディアアクセス制御（ＭＡＣ）制御エレメント（ＣＥ）を送信することと、を含み、
前記第１のＭＡＣ  ＣＥは、前記第１のＵＬ  ＳＰＳ構成メッセージについてコンファメーションを行うための第１のインジケータを含み、又は、送信される２つ以上の第１のＵＬ  ＳＰＳ構成メッセージ及び受信される２つ以上の第１のＭＡＣ  ＣＥが存在する場合に、前記第１のＵＬ  ＳＰＳ構成メッセージと前記第１のＭＡＣ  ＣＥとの間に対応関係が存在する、方法。
【請求項１４】
請求項１３に記載の方法であって、
前記ネットワーク装置から、前記レイヤ１信号を介して複数の第２のＵＬ  ＳＰＳ構成メッセージを受信して、それぞれ前記１つ以上のセルのうちの複数のセルにおける複数のＵＬ  ＳＰＳグラントをそれぞれ構成し又は構成解除することと、
前記ネットワーク装置へ、前記複数の第２のＵＬ  ＳＰＳ構成メッセージのコンファメーションのための第２のＭＡＣ  ＣＥを送信することと、をさらに含み、
前記第２のＭＡＣ  ＣＥは、前記複数の第２のＵＬ  ＳＰＳ構成メッセージについてコンファメーションを行うための第２のインジケータを含む、方法。
【請求項１５】
請求項１３又は１４に記載の方法であって、前記第１のインジケータ及び前記第２のインジケータは、
１つ以上のセルインデックス、
１つ以上のＳＰＳ構成インデックス、
１つ以上のセルインデックスのビットマップ、及び
１つ以上のＳＰＳ構成インデックスのビットマップ、のうちの少なくとも１つを含む、方法。
【請求項１６】
請求項１５に記載の方法であって、１つ以上のセルインデックスの前記ビットマップは、最下位ビットから最上位ビットまで、前記１つ以上のセルインデックスの値に従って昇順で又は降順で並べられる、方法。
【請求項１７】
請求項１５又は１６に記載の方法であって、１つ以上のセルインデックスの前記ビットマップの長さは、固定的であり、又は、前記端末装置について構成された前記セルの数に依存する、方法。
【請求項１８】
請求項１５乃至１７のいずれか１項に記載の方法であって、前記端末装置について構成された各セルが１つ以上のセルインデックスの前記ビットマップにおいて対応するビットを有し、前記端末装置についてアクティブな各セルが１つ以上のセルインデックスの前記ビットマップにおいて対応するビットを有し、又は、前記端末装置についてＵＬ  ＳＰＳと共に構成されたアクティブな各セルが１つ以上のセルインデックスの前記ビットマップにおいて対応するビットを有する、方法。
【請求項１９】
請求項１５乃至１８のいずれか１項に記載の方法であって、前記セルインデックスのサイズは、固定的であり、又は、キャリアアグリゲーションのシナリオにおいて構成することのできるセルの最大数に依存する、方法。
【請求項２０】
請求項１５乃至１９のいずれか１項に記載の方法であって、ＵＬ  ＳＰＳ構成は、セルに関連付けられ、一意なＳＰＳ構成インデックスを割当てられる、方法。
【請求項２１】
請求項１５乃至２０のいずれか１項に記載の方法であって、１つ以上のＳＰＳ構成インデックスの前記ビットマップは、最下位ビットから最上位ビットまで、前記１つ以上のＳＰＳ構成インデックスのそれぞれの値に従って昇順／降順で並べられる、方法。
【請求項２２】
請求項１５乃至２１のいずれか１項に記載の方法であって、前記１つ以上のＳＰＳ構成インデックスの前記ビットマップの長さは、固定的であり、又は、前記端末装置について構成された前記ＵＰ  ＳＰＳ構成の数に依存する、方法。
【請求項２３】
請求項１５乃至２２のいずれか１項に記載の方法であって、前記ＭＡＣ  ＣＥにおける前記セルインデックスは、前記対応するセルに前記ＵＬ  ＳＰＳ構成が適用されることを示し、前記ＭＡＣ  ＣＥにおける前記ＳＰＳ構成インデックスは、セルに関連付けられる前記対応するＳＰＳ構成が前記ＵＬ  ＳＰＳ構成に適用されることを示す、方法。
【請求項２４】
請求項１３乃至２３のいずれか１項に記載の方法であって、前記対応関係は、
前記第１のＭＡＣ  ＣＥの送信順に対応する前記第１のＵＬ  ＳＰＳ構成メッセージの受信順、
前記第１のＵＬ  ＳＰＳ構成メッセージの前記受信と前記第１のＭＡＣ  ＣＥの前記送信との間のタイミングの対応関係、及び
前記ＵＬ  ＳＰＳグラントが構成され又は構成解除される前記キャリアと、前記第１のＭＡＣ  ＣＥを送信するための前記キャリアとの間のキャリアの対応関係、のうちの少なくとも１つを含む、方法。
【請求項２５】
ネットワーク装置であって、
プロセッサと、
前記プロセッサにより実行可能な命令群を収容するメモリと、を備え、それにより前記ネットワーク装置は、
端末装置へ、レイヤ１信号を介して第１のアップリンク（ＵＬ）ＳＰＳ構成メッセージを送信して、前記端末装置について構成された１つ以上のセルのうちのセルにおけるＵＬ  ＳＰＳグラントを構成し又は構成解除することと、
前記端末装置から、前記第１のＵＬ  ＳＰＳ構成メッセージのコンファメーションのための第１のメディアアクセス制御（ＭＡＣ）制御エレメント（ＣＥ）を受信することと、を行うように動作可能であり、
前記第１のＭＡＣ  ＣＥは、前記第１のＵＬ  ＳＰＳ構成メッセージについてコンファメーションを行うための第１のインジケータを含み、又は、送信される２つ以上の第１のＵＬ  ＳＰＳ構成メッセージ及び受信される２つ以上の第１のＭＡＣ  ＣＥが存在する場合に、前記第１のＵＬ  ＳＰＳ構成メッセージと前記第１のＭＡＣ  ＣＥとの間に対応関係が存在する、ネットワーク装置。
【請求項２６】
請求項２５に記載のネットワーク装置であって、請求項１乃至１２のいずれか１項に記載の方法を実行するように動作可能である、ネットワーク装置。
【請求項２７】
端末装置であって、
プロセッサと、
前記プロセッサにより実行可能な命令群を収容するメモリと、を備え、それにより前記端末装置は、
ネットワーク装置から、レイヤ１信号を介して第１のアップリンク（ＵＬ）ＳＰＳ構成メッセージを受信して、端末装置について構成された１つ以上のセルのうちのセルにおけるＵＬ  ＳＰＳグラントを構成し又は構成解除することと、
前記ネットワーク装置へ、前記第１のＵＬ  ＳＰＳ構成メッセージのコンファメーションのための第１のメディアアクセス制御（ＭＡＣ）制御エレメント（ＣＥ）を送信することと、を行うように動作可能であり、
前記第１のＭＡＣ  ＣＥは、前記第１のＵＬ  ＳＰＳ構成メッセージについてコンファメーションを行うための第１のインジケータを含み、又は、送信される２つ以上の第１のＵＬ  ＳＰＳ構成メッセージ及び受信される２つ以上の第１のＭＡＣ  ＣＥが存在する場合に、前記第１のＵＬ  ＳＰＳ構成メッセージと前記第１のＭＡＣ  ＣＥとの間に対応関係が存在する、端末装置。
【請求項２８】
請求項２７に記載の端末装置であって、請求項１３乃至２４のいずれか１項に記載の方法を実行するように動作可能である、端末装置。
【請求項２９】
コンピュータプログラムプロダクトであって、少なくとも１つのプロセッサにより実行された場合に、前記少なくとも１つのプロセッサに、請求項１乃至１２のいずれか１項に記載の方法を行わせる命令群、を含む、コンピュータプログラムプロダクト。
【請求項３０】
コンピュータプログラムプロダクトであって、少なくとも１つのプロセッサにより実行された場合に、前記少なくとも１つのプロセッサに、請求項１３乃至２４のいずれか１項に記載の方法を行わせる命令群、を含む、コンピュータプログラムプロダクト。
【請求項３１】
コンピュータ読取可能な記憶媒体であって、少なくとも１つのプロセッサにより実行された場合に、前記少なくとも１つのプロセッサに、請求項１乃至１２のいずれか１項に記載の方法を行わせる命令群、を含む、コンピュータ読取可能な記憶媒体。
【請求項３２】
コンピュータ読取可能な記憶媒体であって、少なくとも１つのプロセッサにより実行された場合に、前記少なくとも１つのプロセッサに、請求項１３乃至２４のいずれか１項に記載の方法を行わせる命令群、を含む、コンピュータ読取可能な記憶媒体。
【請求項３３】
ホストコンピュータ、ネットワーク装置及び端末装置を含む通信システムにおいて実装される方法であって、
前記ホストコンピュータにおいて、前記端末装置から前記ネットワーク装置への送信に由来するユーザデータを受信すること、を含み、
前記ネットワーク装置は、請求項１乃至１２のいずれか１項に記載の方法を実行するように構成され、
前記端末装置は、請求項１３乃至２４のいずれか１項に記載の方法を実行するように構成される、方法。
【請求項３４】
ホストコンピュータ、ネットワーク装置及び端末装置を含む通信システムにおいて実装される方法であって、
前記ホストコンピュータにおいて、前記端末装置へのユーザデータを搬送する、前記ネットワーク装置を介する送信を開始すること、を含み、
前記ネットワーク装置は、請求項１乃至１２のいずれか１項に記載の方法を実行するように構成され、
前記端末装置は、請求項１３乃至２４のいずれか１項に記載の方法を実行するように構成される、方法。
【請求項３５】
ホストコンピュータを含む通信システムであって、
ユーザデータを提供するように構成される処理回路と、
端末装置からネットワーク装置への送信に由来するユーザデータを受信するように構成される通信インタフェースと、を備え、
前記ネットワーク装置は、プロセッサと、前記プロセッサにより実行可能な命令群を収容するメモリと、を備え、それにより、前記ネットワーク装置は、請求項１乃至１２のいずれか１項に記載の方法を実行するように構成され、
前記端末装置は、プロセッサと、前記プロセッサにより実行可能な命令群を収容するメモリと、を備え、それにより、前記端末装置は、請求項１３乃至２４のいずれか１項に記載の方法を実行するように構成される、通信システム。
【請求項３６】
ホストコンピュータを含む通信システムであって、
ユーザデータを提供するように構成される処理回路と、
端末装置へのユーザデータを搬送する、ネットワーク装置を介する送信を開始するように構成される通信インタフェースと、を含み、
前記ネットワーク装置は、プロセッサと、前記プロセッサにより実行可能な命令群を収容するメモリと、を備え、それにより、前記ネットワーク装置は、請求項１乃至１２のいずれか１項に記載の方法を実行するように構成され、
前記端末装置は、プロセッサと、前記プロセッサにより実行可能な命令群を収容するメモリと、を備え、それにより、前記端末装置は、請求項１３乃至２４のいずれか１項に記載の方法を実行するように構成される、通信システム。
【発明の詳細な説明】
【技術分野】
【０００１】
本開示の実施形態は、一般にワイヤレス通信に関連し、より具体的には、半永続的なスケジューリング（ＳＰＳ）のための方法、ネットワーク装置及び端末装置に関連する。
【背景技術】
【０００２】
ＬＴＥ（long term evolution）システムといったワイヤレスネットワークにおいて、動的なスケジューリング及び半永続的なスケジューリング（あるいは半静的なスケジューリングとして知られている）をサポートし得るスケジューリング機能エンティティが存在する。ＮＲ（new radio）では、半永続的なスケジューリングは、構成されるスケジューリング（ＣＳ）としても言及され得る。
【０００３】
例えば、ＬＴＥでは、アップリンク（ＵＬ）ＳＰＳは、進化型ノードＢ（ｅＮＢ）が無線リソース制御（ＲＲＣ）シグナリングを介してユーザ機器（ＵＥ）のために送信機会の発生の周期性及び開始位置といったいくつかのパラメータとハイブリッド自動再送要求（ＨＡＲＱ）動作のためのパラメータとを構成し得ることをいう。半静的なグラントをアクティブ化／解放するために、変調符号化方式（ＭＣＳ）、時間−周波数リソースといった他のパラメータが、レイヤ１シグナリングを介して構成される。レイヤ１信号に応じた半静的なグラントのアクティブ化／解放時に、ＵＥは、ＵＬ  ＳＰＳ構成メッセージについてコンファメーションを行うために、サービングｅＮＢへメディアアクセス制御（ＭＡＣ）制御エレメント（ＣＥ）を送信する。
【０００４】
ＵＥ向けにリソースが事前構成されたサブフレームの期間中に、ＵＥは、制御チャネル上で自身のセル無線ネットワーク一時識別子（Ｃ−ＲＮＴＩ）を発見しなければ、対応する送信時間インターバル（ＴＴＩ）において事前構成されたリソースに従ってアップリンク送信を行う。
【発明の概要】
【０００５】
この概要は、ある選択された概念を簡易な形で紹介するために提供され、それは後に詳細な説明においてさらに説明される。この概要は、特許請求される主題の重要な特徴や本質的な特徴を識別することを意図したものではなく、特許請求される主題のスコープを限定するために使用されることを意図したものでもない。ＮＲでは、ＵＬ  ＳＰＳを、タイプ２構成型のスケジューリングともいい、割当てられる半静的なグラントを、構成済みグラントタイプ２ともいうことができる。以下の説明では、簡明さのためにＳＰＳとの用語が使用され、ＵＬ  ＳＰＳの仕組みを介して割当てられる半静的なグラントをＵＬ  ＳＰＳグラントという。
【０００６】
本開示のある観点によれば、アップリンク（ＵＬ）における半永続的スケジューリング（ＳＰＳ）のための方法が提供される。上記方法は、端末装置へ、レイヤ１信号を介してＵＬ  ＳＰＳ構成メッセージを送信して、上記端末装置について構成された１つ以上のセルのうちのセルにおけるＵＬ  ＳＰＳグラントを構成し又は構成解除すること、を含み得る。上記方法は、上記端末装置から、上記第１のＵＬ  ＳＰＳ構成メッセージのコンファメーションのための第１のメディアアクセス制御（ＭＡＣ）制御エレメント（ＣＥ）を受信すること、をさらに含み得る。この方法において、上記第１のＭＡＣ  ＣＥが、上記第１のＵＬ  ＳＰＳ構成メッセージについてコンファメーションを行うための第１のインジケータを含んでもよく、又は、送信される２つ以上の第１のＵＬ  ＳＰＳ構成メッセージ及び受信される２つ以上の第１のＭＡＣ  ＣＥが存在する場合に、上記第１のＵＬ  ＳＰＳ構成メッセージと上記第１のＭＡＣ  ＣＥとの間に対応関係が存在してもよい。
【０００７】
本開示の他の観点によれば、ＵＬにおける半永続的スケジューリング（ＳＰＳ）のための方法が提供される。上記方法は、ネットワーク装置から、レイヤ１信号を介して第１のアップリンク（ＵＬ）ＳＰＳ構成メッセージを受信して、端末装置について構成された１つ以上のセルのうちのセルにおけるＵＬ  ＳＰＳグラントを構成し又は構成解除すること、を含み得る。上記方法は、上記ネットワーク装置へ、上記第１のＵＬ  ＳＰＳ構成メッセージのコンファメーションのための第１のメディアアクセス制御（ＭＡＣ）制御エレメント（ＣＥ）を送信すること、をさらに含み得る。この方法において、上記第１のＭＡＣ  ＣＥが、上記第１のＵＬ  ＳＰＳ構成メッセージについてコンファメーションを行うための第１のインジケータを含み、又は、送信される２つ以上の第１のＵＬ  ＳＰＳ構成メッセージ及び受信される２つ以上の第１のＭＡＣ  ＣＥが存在する場合に、上記第１のＵＬ  ＳＰＳ構成メッセージと上記第１のＭＡＣ  ＣＥとの間に対応関係が存在する。
【０００８】
本開示の他の観点によれば、ネットワーク装置が提供される。上記ネットワーク装置は、プロセッサと、上記プロセッサにより実行可能な命令群を収容するメモリと、を備えてよく、それにより上記ネットワーク装置は、端末装置へ、レイヤ１信号を介して第１のアップリンク（ＵＬ）ＳＰＳ構成メッセージを送信して、上記端末装置について構成された１つ以上のセルのうちのセルにおけるＵＬ  ＳＰＳグラントを構成し又は構成解除すること、を行うように動作可能であり得る。上記ネットワーク装置は、上記端末装置から、上記第１のＵＬ  ＳＰＳ構成メッセージのコンファメーションのための第１のメディアアクセス制御（ＭＡＣ）制御エレメント（ＣＥ）を受信すること、を行うように動作可能であり得る。上記第１のＭＡＣ  ＣＥが、上記第１のＵＬ  ＳＰＳ構成メッセージについてコンファメーションを行うための第１のインジケータを含んでもよく、又は、送信される２つ以上の第１のＵＬ  ＳＰＳ構成メッセージ及び受信される２つ以上の第１のＭＡＣ  ＣＥが存在する場合に、上記第１のＵＬ  ＳＰＳ構成メッセージと上記第１のＭＡＣ  ＣＥとの間に対応関係が存在してもよい。
【０００９】
本開示の他の観点によれば、端末装置が提供される。上記端末装置は、プロセッサと、上記プロセッサにより実行可能な命令群を収容するメモリと、を備えてよく、それにより上記端末装置は、ネットワーク装置から、レイヤ１信号を介して第１のアップリンク（ＵＬ）ＳＰＳ構成メッセージを受信して、端末装置について構成された１つ以上のセルのうちのセルにおけるＵＬ  ＳＰＳグラントを構成し又は構成解除すること、を行うように動作可能であり得る。上記端末装置は、上記ネットワーク装置へ、上記第１のＵＬ  ＳＰＳ構成メッセージのコンファメーションのための第１のメディアアクセス制御（ＭＡＣ）制御エレメント（ＣＥ）を送信すること、を行うようにさらに動作可能であり得る。上記第１のＭＡＣ  ＣＥが、上記第１のＵＬ  ＳＰＳ構成メッセージについてコンファメーションを行うための第１のインジケータを含んでもよく、又は、送信される２つ以上の第１のＵＬ  ＳＰＳ構成メッセージ及び受信される２つ以上の第１のＭＡＣ  ＣＥが存在する場合に、上記第１のＵＬ  ＳＰＳ構成メッセージと上記第１のＭＡＣ  ＣＥとの間に対応関係が存在する。
【００１０】
本開示の他の観点によれば、コンピュータプログラムプロダクトが提供される。上記コンピュータプログラムプロダクトは、命令群を含み、上記命令群は、少なくとも１つのプロセッサにより実行された場合に、上記少なくとも１つのプロセッサに、端末装置へ、レイヤ１信号を介して第１のアップリンク（ＵＬ）ＳＰＳ構成メッセージを送信して、上記端末装置について構成された１つ以上のセルのうちのセルにおけるＵＬ  ＳＰＳグラントを構成し又は構成解除すること、を行わせ得る。上記少なくとも１つのプロセッサは、上記端末装置から、上記第１のＵＬ  ＳＰＳ構成メッセージのコンファメーションのための第１のメディアアクセス制御（ＭＡＣ）制御エレメント（ＣＥ）を受信すること、をさらに行わせられ得る。上記第１のＭＡＣ  ＣＥが、上記第１のＵＬ  ＳＰＳ構成メッセージについてコンファメーションを行うための第１のインジケータを含んでもよく、又は、送信される２つ以上の第１のＵＬ  ＳＰＳ構成メッセージ及び受信される２つ以上の第１のＭＡＣ  ＣＥが存在する場合に、上記第１のＵＬ  ＳＰＳ構成メッセージと上記第１のＭＡＣ  ＣＥとの間に対応関係が存在する。
【００１１】
本開示の他の観点によれば、コンピュータプログラムプロダクトが提供される。上記コンピュータプログラムプロダクトは、命令群を含み、上記命令群は、少なくとも１つのプロセッサにより実行され、上記少なくとも１つのプロセッサに、ネットワーク装置から、レイヤ１信号を介して第１のアップリンク（ＵＬ）ＳＰＳ構成メッセージを受信して、端末装置について構成された１つ以上のセルのうちのセルにおけるＵＬ  ＳＰＳグラントを構成し又は構成解除すること、を行わせ得る。上記少なくとも１つのプロセッサは、上記ネットワーク装置へ、上記第１のＵＬ  ＳＰＳ構成メッセージのコンファメーションのための第１のメディアアクセス制御（ＭＡＣ）制御エレメント（ＣＥ）を送信すること、をさらに行わせられ得る。上記第１のＭＡＣ  ＣＥが、上記第１のＵＬ  ＳＰＳ構成メッセージについてコンファメーションを行うための第１のインジケータを含んでもよく、又は、送信される２つ以上の第１のＵＬ  ＳＰＳ構成メッセージ及び受信される２つ以上の第１のＭＡＣ  ＣＥが存在する場合に、上記第１のＵＬ  ＳＰＳ構成メッセージと上記第１のＭＡＣ  ＣＥとの間に対応関係が存在してもよい。
【００１２】
本開示の他の観点によれば、コンピュータ読取可能な記憶媒体が提供される。上記コンピュータ読取可能な記憶媒体は、命令群を含み、上記命令群は、少なくとも１つのプロセッサにより実行され、上記少なくとも１つのプロセッサに、端末装置へ、レイヤ１信号を介して第１のアップリンク（ＵＬ）ＳＰＳ構成メッセージを送信して、上記端末装置について構成された１つ以上のセルのうちのセルにおけるＵＬ  ＳＰＳグラントを構成し又は構成解除すること、を行わせ得る。上記少なくとも１つのプロセッサは、上記端末装置から、上記第１のＵＬ  ＳＰＳ構成メッセージのコンファメーションのための第１のメディアアクセス制御（ＭＡＣ）制御エレメント（ＣＥ）を受信すること、をさらに行わせられ得る。上記第１のＭＡＣ  ＣＥが、上記第１のＵＬ  ＳＰＳ構成メッセージについてコンファメーションを行うための第１のインジケータを含んでもよく、又は、送信される２つ以上の第１のＵＬ  ＳＰＳ構成メッセージ及び受信される２つ以上の第１のＭＡＣ  ＣＥが存在する場合に、上記第１のＵＬ  ＳＰＳ構成メッセージと上記第１のＭＡＣ  ＣＥとの間に対応関係が存在する。
【００１３】
本開示の他の観点によれば、コンピュータ読取可能な記憶媒体が提供される。上記コンピュータ読取可能な記憶媒体は、命令群を含み、上記命令群は、少なくとも１つのプロセッサにより実行され、上記少なくとも１つのプロセッサに、ネットワーク装置から、レイヤ１信号を介して第１のアップリンク（ＵＬ）ＳＰＳ構成メッセージを受信して、端末装置について構成された１つ以上のセルのうちのセルにおけるＵＬ  ＳＰＳグラントを構成し又は構成解除すること、を行わせ得る。上記少なくとも１つのプロセッサは、上記ネットワーク装置へ、上記第１のＵＬ  ＳＰＳ構成メッセージのコンファメーションのための第１のメディアアクセス制御（ＭＡＣ）制御エレメント（ＣＥ）を送信すること、をさらに行わせられ得る。上記第１のＭＡＣ  ＣＥが、上記第１のＵＬ  ＳＰＳ構成メッセージについてコンファメーションを行うための第１のインジケータを含んでもよく、又は、送信される２つ以上の第１のＵＬ  ＳＰＳ構成メッセージ及び受信される２つ以上の第１のＭＡＣ  ＣＥが存在する場合に、上記第１のＵＬ  ＳＰＳ構成メッセージと上記第１のＭＡＣ  ＣＥとの間に対応関係が存在してもよい。
【００１４】
本開示の他の観点によれば、ホストコンピュータ、ネットワーク装置及び端末装置を含む通信システムにおいて実装される方法が提供される。上記方法は、上記ホストコンピュータにおいて、上記端末装置から上記ネットワーク装置への送信に由来するユーザデータを受信すること、を含み得る。この方法において、上記ネットワーク装置は、上述したようなネットワーク装置に関連付けられる方法のいずれかを行うように構成され得る。上記端末装置は、上述したような端末装置に関連付けられる方法のいずれかを行うように構成され得る。
【００１５】
本開示の他の観点によれば、ホストコンピュータ、ネットワーク装置及び端末装置を含む通信システムにおいて実装される方法が提供される。上記方法は、上記ホストコンピュータにおいて、上記端末装置へのユーザデータを搬送する、上記ネットワーク装置を介する送信を開始すること、を含み得る。この方法において、上記ネットワーク装置は、上述したようなネットワーク装置に関連付けられる方法のいずれかを行うように構成され得る。上記端末装置は、上述したような端末装置に関連付けられる方法のいずれかを行うように構成され得る。
【００１６】
本開示の他の観点によれば、ホストコンピュータを含む通信システムが提供される。上記ホストコンピュータは、ユーザデータを提供するように構成される処理回路、を備え得る。上記ホストコンピュータは、端末装置からネットワーク装置への送信に由来するユーザデータを受信するように構成される通信インタフェース、をさらに備え得る。上記ネットワーク装置は、プロセッサと、上記プロセッサにより実行可能な命令群を収容するメモリと、を備えてよく、それにより、上記ネットワーク装置は、上述したようなネットワーク装置に関連付けられる方法のいずれかを行うように構成され得る。上記端末装置は、プロセッサと、上記プロセッサにより実行可能な命令群を収容するメモリと、を備えてよく、それにより、上記端末装置は、上述したような端末装置に関連付けられる方法のいずれかを行うように構成され得る。
【００１７】
本開示の他の観点によれば、ホストコンピュータを含む通信システムが提供される。上記ホストコンピュータは、ユーザデータを提供するように構成される処理回路、を備え得る。上記ホストコンピュータは、端末装置へのユーザデータを搬送する、ネットワーク装置を介する送信を開始するように構成される通信インタフェース、をさらに備え得る。上記ネットワーク装置は、プロセッサと、上記プロセッサにより実行可能な命令群を収容するメモリと、を備えてよく、それにより、上記ネットワーク装置は、上述したようなネットワーク装置に関連付けられる方法のいずれかを行うように構成され得る。上記端末装置は、プロセッサと、上記プロセッサにより実行可能な命令群を収容するメモリと、を備えてよく、それにより、上記端末装置は、上述したような端末装置に関連付けられる方法のいずれかを行うように構成され得る。
【００１８】
本開示のこれらの及び他の目的、特徴及び利点が、添付図面に関連して読まれるべきそれらの例示的な実施形態の以下の詳細な説明から明らかとなるであろう。
【図面の簡単な説明】
【００１９】
【図１】本開示のいくつかの実施形態を実装することのできる概略的なシステムを描いている。
【図２】本開示の一実施形態に係る方法を描いたフローチャートである。
【図３】本開示の他の実施形態に係る方法を描いたフローチャートである。
【図４】本開示の一実施形態に係るＭＡＣ  ＣＥペイロードを概略的に示している。
【図５】本開示の他の実施形態に係るＭＡＣ  ＣＥペイロードを概略的に示している。
【図６】本開示の他の実施形態に係るＭＡＣ  ＣＥペイロードを概略的に示している。
【図７】本開示の他の実施形態に係るＭＡＣ  ＣＥペイロードを概略的に示している。
【図８】本開示の他の実施形態に係るＭＡＣ  ＣＥペイロードを概略的に示している。
【図９】本開示の他の実施形態に係るＭＡＣ  ＣＥペイロードを概略的に示している。
【図１０】本開示の一実施形態に係る方法を描いたフローチャートである。
【図１１】本開示の他の実施形態に係る方法を描いたフローチャートである。
【図１２】本開示の一実施形態に係るネットワーク装置を示すブロック図である。
【図１３】本開示の他の実施形態に係る端末装置を示すブロック図である。
【図１４】本開示の一実施形態に係る通信システムにおいて実装される方法を描いたフローチャートである。
【図１５】本開示の他の実施形態に係る通信システムにおいて実装される方法を描いたフローチャートである。
【発明を実施するための形態】
【００２０】
説明の目的で、開示される実施形態の綿密な理解を提供するために以下の説明において詳細が説示される。しかしながら、実施形態がそれら固有の詳細無しであるいは均等な構成と共に実装され得ることが、当業者にとっては明白である。
【００２１】
ここで使用されるところでは、"ワイヤレス通信ネットワーク"又は"ワイヤレスネットワーク"との用語は、ＬＴＥアドバンスト（ＬＴＥ−Ａ）、ＬＴＥ、広帯域符号分割多元接続（ＷＣＤＭＡ）、及び高速パケットアクセス（ＨＳＰＡ）などといった、任意の適した通信規格に従うネットワークをいう。さらに、ワイヤレス通信ネットワークにおける端末装置とネットワーク装置との間の通信は、任意の適した世代の通信プロトコルに従って行われてよく、それは、限定ではないものの、ＧＳＭ（Global System for Mobile Communications）、ＵＭＴＳ（Universal Mobile Telecommunications System）、ＬＴＥ（Long Term Evolution）、及び／若しくは、他の適した第１世代（１Ｇ）、第２世代（２Ｇ）、２．５Ｇ、２．７５Ｇ、第３世代（３Ｇ）、第４世代（４Ｇ）、４．５Ｇ、若しくは、ＮＲのような未来の第５世代（５Ｇ）通信プロトコル、並びに／又は、ＷｉＭａｘ（Worldwide Interoperability for Microwave Access）、Ｂｌｕｅｔｏｏｔｈ及び／若しくはＺｉｇＢｅｅ規格、及び／若しくは、現在知られているか将来開発されるかによらない何らかの他のプロトコルといった、任意の他の適切なワイヤレス通信規格を含む。
【００２２】
"ネットワーク装置"との用語は、ワイヤレス通信ネットワーク内の、端末装置がネットワークへアクセスしてそこからサービスを受ける際に経由する装置をいう。ネットワーク装置は、基地局（ＢＳ）、アクセスポイント（ＡＰ）、又は、ワイヤレス通信ネットワーク内の任意の他の適した装置をいう。ＢＳは、例えば、ノードＢ（ＮｏｄｅＢ若しくはＮＢ）、進化型ノードＢ（ｅＮｏｄｅＢ若しくはｅＮＢ）若しくはｇＮＢ、ＲＲＵ（Remote Radio Unit）、ＲＨ（radio header）、ＲＲＨ（remote radio head）、リレー、又は、フェムト若しくはピコといった低電力ノードなどであってよい。ネットワーク装置のまたさらなる例は、マルチ標準無線（ＭＳＲ）ＢＳといったＭＳＲ無線機器、無線ネットワークコントローラ（ＲＮＣ）又は基地局コントローラ（ＢＳＣ）といったネットワークコントローラ、基地送受信局（ＢＴＳ）、送信ポイント、及び送信ノードを含み得る。しかしながら、より広くいうと、ネットワーク装置は、ワイヤレス通信ネットワークへのアクセスを端末装置に可能にし及び／若しくは提供し、又は、ワイヤレス通信ネットワークへアクセスした端末装置へ何らかのサービスを提供することが可能であり、そのように構成され、配置され及び／若しくは動作可能な、いかなる適した装置（又は装置の集合）を表していてもよい。
【００２３】
"端末装置"との用語は、ワイヤレス通信ネットワークへアクセスし及びそこからサービスを受けることのできる任意の末端の装置をいう。限定ではなく例示でいうと、端末装置は、移動端末、ユーザ機器（ＵＥ）、又は他の適した装置をいう。ＵＥは、例えば、加入者局（ＳＳ）、ポータブル加入者局、移動局（ＭＳ）、又はアクセス端末（ＡＴ）であってよい。端末装置は、限定ではないものの、ポータブルコンピュータ、デジタルカメラのような撮像端末装置、ゲーム端末装置、楽曲記憶再生電化製品、モバイルフォン、セルラーフォン、スマートフォン、ＶｏＩＰ（voice over IP）フォン、ワイヤレスローカルループフォン、タブレット、ウェアラブルデバイス、ＰＤＡ（personal digital assistant）、ポータブルコンピュータ、デスクトップコンピュータ、デジタルカメラのような撮像端末装置、ゲーム端末装置、楽曲記憶再生電化製品、ウェアラブル端末装置、車載ワイヤレス端末装置、ワイヤレスエンドポイント、移動局、ＬＥＥ（laptop-embedded equipment）、ＬＭＥ（laptop-mounted equipment）、ＵＳＢドングル、スマート装置、及びワイヤレスＣＰＥ（customer-premises equipment）などを含んでよい。以下の説明において、"端末装置"、"端末"、"ユーザ機器"及び"ＵＥ"は、互換可能に使用され得る。１つの例として、端末装置は、第３世代パートナーシッププロジェクト（３ＧＰＰ）のＧＳＭ、ＵＭＴＳ、ＬＴＥ及び／又は５Ｇ規格といった、３ＧＰＰにより発布された１つ以上の通信規格に従った通信のために構成されるＵＥを表し得る。ここで使用されるところでは、"ユーザ機器"あるいは"ＵＥ"は、関係する装置を所有し及び／又は操作する人間のユーザという意味での"ユーザ"を必ずしも有していなくてもよい。いくつかの実施形態において、端末装置は、直接的なヒューマンインタラクション無しで情報を送信し及び／又は受信するように構成されてもよい。例えば、端末装置は、予め決定されるスケジュールで、内部の若しくは外部のイベントによりトリガされた場合に、又は、ワイヤレス通信ネットワークからの要求に応じて、ネットワークへ情報を送信するように設計されてもよい。その代わりに、ＵＥは、人間のユーザへの販売又は人間のユーザによる操作を意図されているが、当初は特定の人間のユーザに関連付けられていないかもしれないデバイスを表してもよい。
【００２４】
端末装置は、例えば、サイドリンク通信のために３ＧＰＰ規格を実行することにより、デバイスツーデバイス（Ｄ２Ｄ）通信をサポートしてもよく、このケースにおいてＤ２Ｄ通信装置として言及されてもよい。
【００２５】
また別の例として、モノのインターネット（ＩｏＴ）のシナリオでは、端末装置は、監視及び／若しくは測定を実行し、並びに他の端末装置及び／若しくはネットワーク機器へそうした監視及び／若しくは測定の結果を送信する、マシン又は他のデバイスを表してもよい。端末装置は、このケースにおいて、マシンツーマシン（Ｍ２Ｍ）デバイスであってもよく、３ＧＰＰの文脈ではマシンタイプ通信（ＭＴＣ）デバイスとして言及されてもよい。１つの具体的な例として、端末装置は、３ＧＰＰ狭帯域ＩｏＴ（ＮＢ−ＩｏＴ）規格を実装するＵＥであってもよい。そうしたマシン又は装置の具体的な例は、センサ、電力メータのようなメータ装置、産業機械、又は、例えば冷蔵庫、テレビジョン、時計などの個人装着品である、家庭若しくは個人電化製品である。他のシナリオにおいて、端末装置は、その動作ステータス若しくはその動作に関連付けられる他の機能について監視し及び／若しくは報告することの可能な車両又は他の機器を表してもよい。
【００２６】
ここで使用されるところでは、ダウンリンク（ＤＬ）送信とは、ネットワーク装置から端末装置への送信をいい、アップリンク（ＵＬ）送信とは、逆方向の送信をいう。
【００２７】
本明細書における、"１つの実施形態"、"一実施形態"、"例示的な実施形態"などへの言及は、説明される実施形態が特定の特徴、構造、又は特性を含み得るものの、あらゆる実施形態が当該特定の特徴、構造、又は特性を含むわけでは必ずしもないことを示す。そのうえ、そうしたフレーズは、必ずしも同じ実施形態を指しているわけではない。さらに、一実施形態との関係において特定の特徴、構造、又は特性が説明されている場合、明示的に記載されているか否かに関わらず、他の実施形態との関係においてそうした特徴、構造、又は特性を作用させることは、当業者の知識の範囲内であることが思量される。
【００２８】
ここでは多様な要素を説明するために"第１"、"第２"などの用語が使用され得るが、そうした要素はそれら用語により限定されるべきではないことが理解されるものとする。それら用語は、ある要素を別の要素と区別するために使用されるに過ぎない。例えば、例示的な実施形態のスコープを逸脱することなく、第１の要素を第２の要素を呼ぶことができるはずであり、同様に、第２の要素を第１の要素と呼ぶことができるはずである。ここで使用されるところでは、"and/or"という用語は、関連付けられる列挙された項目のうちの１つ以上のありとあらゆる組合せを含む。
【００２９】
ここで使用される専門用語は、具体的な実施形態を説明する目的のためのものに過ぎず、ここで説明される概念を限定することを意図されない。ここで使用されるところでは、単数形である"a"、"an"、及び"the"は、文脈で別段明確に示されていない限り、複数形をも含むことが意図される。さらに理解されるであろうこととして、"含む（comprises）"、"含む（comprising）"、"有する（has）"、"有する（having）"、"含む（includes）"及び／又は"含む（including）"という用語は、ここで使用されるところでは、記述された特徴、エレメント、及び／又はコンポーネントの存在を特定するものの、１つ以上の他の特徴、エレメント、コンポーネント、及び／又はそれらの組合せの存在又は追加を排除しない。
【００３０】
以下の説明及び特許請求の範囲において、ここで使用される全ての技術的用語及び学術的用語は、別段定義されない限り、本開示が属する分野における当業者により共通的に理解される意味と同じ意味を有する。
【００３１】
なお、以下の実施形態は、ＮＲシステムの文脈で主に説明されているものの、それに限定されるわけではなく、セカンダリセル（ＳＣｅｌｌ）におけるＵＬ  ＳＰＳが将来サポートされ得る、（例えば、リリース１５以降についての）進化型のＬＴＥといった、ここで説明する通りの実施形態から恩恵を受け得る任意の適した通信システムへ適用されることができる。
【００３２】
ＬＴＥでは、プライマリセル又はプライマリセカンダリセルにおけるダウンリンク／アップリンク（ＤＬ／ＵＬ）向けのＳＰＳのみが存在する。ＬＴＥにおけるアップリンク向けのＳＰＳについて、ＳＰＳのアクティブ化及びリリースについてコンファメーションを行うためにどのようにＭＡＣ  ＣＥを使用すべきかは、３ＧＰＰ  ＴＳ３６．３２１−ｅ２０のセクション５．１０．２に記載されており、その開示は全体として参照によりここに取り入れられる。
「ＳＰＳコンファメーションがトリガされておりキャンセルされていない場合において：
−当該ＴＴＩについて新たな送信のために割当てられたＵＬリソースをＭＡＣエンティティが有するときは：
−第６．１．３．１１項で定義される通りに、ＳＰＳコンファメーションＭＡＣ制御エレメントを生成するように多重化及び組立て（Multiplexing and Assembly）手続に指示し；
−トリガされたＳＰＳコンファメーションをキャンセルする。
ＭＡＣエンティティは、ＳＰＳリリースによりトリガされたＳＰＳコンファメーションＭＡＣ制御エレメントの初回の送信の直後に構成済みのアップリンクグラントをクリアするものとする。」
【００３３】
３ＧＰＰ  ＴＳ３６．３２１−ｅ２０によれば、ＵＥは、ＵＬの半永続的なグラントのアクティブ化／非アクティブ化のためのレイヤ１信号の受信後に、ＭＡＣ  ＣＥを送信して、当該レイヤ１信号の受信についてコンファメーションを行うものとされる。このＭＡＣ  ＣＥは、ＬＴＥにおいて"ＳＰＳコンファメーションＭＡＣ制御エレメント"として設計された。このＭＡＣ  ＣＥのについての詳細を、３ＧＰＰ  ＴＳ３６．３２１−ｅ２０のセクション６．１．３．１１において見出すことができる。
「ＳＰＳコンファメーションＭＡＣ制御エレメントは、テーブル６．２．１−２において仕様化した通りのＬＣＩＤを有するＭＡＣ  ＰＤＵサブヘッダにより識別される。
それは、０ビットの固定的なサイズを有する。」
【００３４】
ＬＴＥでは、ＭＡＣエンティティごとに高々１つのＳＰＳ構成しか存在しないことから、ＵＬ  ＳＰＳアクティブ化／リリースについてコンファメーションを行うために、ペイロードの無いＭＡＣ  ＣＥを使用すれば十分である。一方、構成されたセルごとに１つまでのＵＬ  ＳＰＳ構成が存在することができ、かつ相異なるサービングセルにおいてＵＬ  ＳＰＳ構成が同時にアクティブになり得るＮＲのようなワイヤレスネットワークでは、ＬＴＥにおけるＵＬ  ＳＰＳアクティブ化／リリースのコンファメーションのためのＭＡＣ  ＣＥフォーマットを当該ワイヤレスネットワークにおいて再利用することはできず、なぜなら、キャリアアグリゲーション（ＣＡ）のケースで、受信したＭＡＣ  ＣＥと、ＵＬの半静的なグラントをアクティブ化／リリースするために送信されるレイヤ１信号との間の対応関係を、ｇＮＢのようなネットワーク装置が識別する際の曖昧さがあるからである。
【００３５】
したがって、構成されたセルごとに１つまでのＵＬ  ＳＰＳ構成が存在することができ、かつ相異なるサービングセルにおいてＵＬ  ＳＰＳ構成が同時にアクティブになり得るワイヤレスネットワークにおけるＳＰＳのための解決策を提供することが望ましいであろう。
【００３６】
これ以降、本開示の例示的な実施形態が図面を参照しながら説明されることになる。
【００３７】
図１は、本開示のいくつかの実施形態を実装することのできる概略的なシステムを描いている。図１に示したように、通信システム１００は、例えばＮＲにおけるｇＮＢといったセルラー基地局のようなネットワーク装置１１０を含む。ネットワーク装置１１０とは、端末装置又はＵＥに対してネットワーク側にある機能要素への言及であってよい。例えば、ネットワーク装置１１０は、ｅＮＢ、ホームｅＮｏｄｅＢ、フェムト基地局、ピコＢＳ、ｇＮＢ、又は通信システム１００において端末装置１０２へサービスすることの可能な任意の他のノードを含み得る。セルラー無線システムは、セルサイトとして知られている送信局又は基地送受信局により各々サービスされる複数の無線セルのネットワークを含み得ることがよく知られている。無線ネットワークは、複数の送受信機（多くの場合、移動機）向けにワイヤレス通信サービスを提供する。協同して動作するネットワーク装置のネットワークは、単一のネットワーク装置により提供される無線カバレッジよりも大規模なワイヤレスサービスを可能にする。個々のネットワーク装置は、リソース管理のための追加的なコントローラと、いくつかの場合には（インターネットのような）他のネットワークシステム又はＭＡＮ（metropolitan area network）へのアクセスとを含む他のネットワーク（多くの場合、有線ネットワーク。図示せず）により接続されてもよい。
【００３８】
通信システム１００においてキャリアアグリゲーション（ＣＡ）が使用される場合、第１セル１３０及び第２セル１３２といった、ある数のサービングセルが存在し、それらが端末装置について構成され得る。各サービングセルは、それぞれのコンポーネントキャリア（ＣＣ）を有し得る。サービングセルのカバレッジは、例えば、相異なる周波数帯域上のＣＣが異なるパスロスを経験し得ること、又は、相異なるコンポーネントキャリアが異なるカバレッジ、即ち異なるセルサイズを提供するようにプランニングされ得ることに起因して相違し得る。キャリアアグリゲーションでは、プライマリサービングセル（ＰＣｅｌｌ）内のプライマリコンポーネントキャリア、及びセカンダリセル（ＳＣｅｌｌ）内のセカンダリコンポーネントキャリアという、２種類のキャリアを含むことができる。セカンダリセル（ＳＣｅｌｌ）内のセカンダリコンポーネントキャリアは、全て、それぞれのセカンダリサービングセルへサービスするセカンダリコンポーネントキャリアとして言及される。なお、図１ではネットワーク装置１１０が１つのエンティティとして示されているが、ネットワーク装置１１０は、同一のＭＡＣエンティティに属する２つ以上のエンティティを含むことができる。
【００３９】
図１に示したように、通信システム１００は、ワイヤレスリンク１２６及び１２８のようなワイヤレスリンクを通じてセルラー基地局のようなネットワーク装置１１０と動作可能に通信し得る、ＵＥあるいは端末装置１０２を含み得る。１つ以上のセルが端末装置１０２に対し構成され得る。例えば、端末装置１０２は、ＣＡのシナリオにおいて２つ以上のセルと共に構成され得る。端末装置１０２は、固定されていても移動可能であってもよい。端末装置１０２は、限定ではないものの、セルラーフォン、スマートフォン、及び、デスクトップかラップトップかそれ以外かによらないコンピュータ、並びに、セルラーネットワークＵＥ、マシンタイプ通信装置、手持ち型コンピュータ、ＰＤＡ（personal digital assistant）、ワイヤレスセンサ、ウェアラブル装置、ビデオカメラ、セットトップボックス、個人用メディア装置、又は、上記の任意の組合せを含んでよく、これらは、ワイヤレス通信の機能性を提供され、限定ではないものの、Ｗｉｎｄｏｗｓ、Ｌｉｎｕｘ、ＵＮＩＸ、Ａｎｄｒｏｉｄ、ｉＯＳ及びそれらの派生を含む任意の種類のオペレーティングシステムと共に稼働する。加えて、図１には１つの端末装置１０２のみが示されているものの、２つ以上の端末装置が存在してもよい。
【００４０】
ネットワーク装置１１０は、ホストコンピュータ１５０へ接続され、ホストコンピュータ１５０は、スタンドアローンのサーバのハードウェア及び／若しくはソフトウェア、クラウド実装のサーバ、分散型サーバで具現化されてもよく、又はサーバファーム内の処理リソースとして具現化されてもよい。ホストコンピュータ１５０は、サービスプロバイダの所有下にあってもその制御下にあってもよく、又はサービスプロバイダにより若しくはサービスプロバイダのために運用されてもよい。ネットワーク装置１１０とホストコンピュータ１５０との間の接続１４０は、コアネットワークからホストコンピュータ１５０へ直接的に伸びていてもよく、オプションとしての中間的なネットワーク（図示せず）を介してつながっていてもよい。中間的なネットワークは、パブリック、プライベート又はホステッドネットワークのうちの１つ又はそれらの複数の組合せであってもよく、中間ネットワークは、もしあればバックボーンネットワーク又はインターネットであってもよく、具体的には、中間的なネットワークは、２つ以上のサブネットワーク（図示せず）を含んでもよい。
【００４１】
通信システム１００は、全体として、接続されるＵＥ１０２とホストコンピュータ１５０との間の接続性を可能にする。その接続性は、｛１２６，１４０｝、｛１２６，１４０｝といったオーバ・ザ・トップ（ＯＴＴ）接続として説明され得る。ホストコンピュータ１５０及び接続されるＵＥ１０２は、アクセスネットワーク（図示せず）、コアネットワーク（図示せず）、任意の中間ネットワーク（図示せず）及びあり得るさらなる基盤（図示せず）を途中段階として用いて、ＯＴＴ接続を介してデータ及び／又はシグナリングを通信するように構成される。ＯＴＴ接続｛１２６，１４０｝及び｛１２６，１４０｝は、ＯＴＴ接続の通過途上の参加している通信装置がアップリンク及びダウンリンクの通信のルーティングを意識しないという意味において、透過的であり得る。例えば、ネットワーク装置１１０は、ホストコンピュータ１５０から発して接続しているＵＥ１０２へ転送（例えば、ハンドオーバ）されるべきデータを伴うインカミングのダウンリンク通信の過去のルーティングについて通知されなくてよく又はその通知を必要としない。同様に、ホストコンピュータ１５０は、ＵＥ１０２から発してホストコンピュータ１５０へ向かうアウトゴーイングのアップリンク通信の将来のルーティングを認識することを必要としない。
【００４２】
通信システム１００において、ホストコンピュータ１５０は、通信システム１００の異なる通信装置のインタフェースとの有線又は無線の接続をセットアップし及び維持するように構成される通信インタフェース１５２を含むハードウェアを備える。ホストコンピュータ１５０は、さらに、記憶及び／又は処理のケイパビリティを有し得る処理回路１５４を備える。具体的には、処理回路１５４は、命令を実行するように適合される、１つ以上のプログラマブルプロセッサ、特定用途向け集積回路、フィールドプログラマブルゲートアレイ又はそれらの組み合わせ（図示せず）を含んでよい。ホストコンピュータ１５０は、さらに、ホストコンピュータ１５０内に記憶され又はホストコンピュータ１５０によりアクセス可能なソフトウェア１５６であって、処理回路１５４により実行可能な当該ソフトウェア１５６を備える。ソフトウェア１５６は、ホストアプリケーションを含む。ホストアプリケーションは、ＵＥ１０２及びホストコンピュータ１５０で終端するＯＴＴ接続｛１２６，１４０｝及び／又は｛１２６，１４０｝を介して接続している端末装置１０２といったリモートユーザへサービスを提供するように動作可能であり得る。リモートユーザへのサービスの提供中に、ホストアプリケーションは、ＯＴＴ接続｛１２６，１４０｝及び／又は｛１２６，１４０｝を用いて送信されるユーザデータを提供し得る。ホストコンピュータ１５０により提供されるサービスは、限定ではないものの、ニュースサービス、ＬｉｎｋｅｄＩｎ、Ｆａｃｅｂｏｏｋ、Ｔｗｉｔｔｅｒ、ＹｏｕＴｕｂｅといったソーシャルネットワーキングサービス、ＷｅＣｈａｔ、Ｙａｈｏｏ！メールといったメッセージングサービス、Ａｍａｚｏｎ、Ａｌｉｂａｂａ及びＴａｏＢａｏなどといったオンラインショッピングサービス、モバイルゲーム及びコンピュータゲームといったゲームサービス、並びに、自転車シェアリングサービスといったＸシェアリングサービスを含む、いかなる種類のサービスであってもよい。
【００４３】
一実施形態において、通信インタフェース１５２は、端末装置１０２からネットワーク装置１１０への送信に由来するユーザデータを受信するように構成される。他の実施形態において、通信インタフェース１５２は、端末装置１０２へのユーザデータを搬送する、ネットワーク装置１１０を介する送信を開始するように構成される。
【００４４】
図２は、本開示の一実施形態に係る方法２００を描いたフローチャートであり、その方法は、図１のネットワーク装置１１０のような装置において実行され得る。そのため、ネットワーク装置１１０は、方法２００の多様な部分を達成するための手段と共に、他のコンポーネントと連携して他の処理を達成するための手段を提供し得る。
【００４５】
図２に示したように、方法２００は、ブロック２０２で開始してよく、ネットワーク装置１１０は、端末装置へ、レイヤ１信号を介して第１のアップリンク（ＵＬ）ＳＰＳ構成メッセージを送信して、当該端末装置について構成された１つ以上のセルのうちのセルにおけるＵＬ  ＳＰＳグラントを構成し又は構成解除する。そのレイヤ１信号は、半永続的スケジューリングのグラントを伴う物理ダウンリンク制御チャネル（ＰＤＣＣＨ）といった、半永続的スケジューリングのグラントを搬送するために使用される任意の適した物理レイヤ信号であってよい。例えば、図１に示したように、ネットワーク装置１１０は、第１セル１３０におけるＵＬ  ＳＰＳグラントを構成し又は構成解除するために、第１のアップリンク（ＵＬ）ＳＰＳ構成メッセージをＰＤＣＣＨを介して端末装置１０２へ送信し、及び、第２セル１３２におけるＵＬ  ＳＰＳグラントを構成し又は構成解除するために、他の第１のアップリンク（ＵＬ）ＳＰＳ構成メッセージをＰＤＣＣＨを介して端末装置１０２へ送信し得る。
【００４６】
ブロック２０４において、ネットワーク装置１１０は、端末装置から、第１のＵＬ  ＳＰＳ構成メッセージのコンファメーションのための第１のメディアアクセス制御（ＭＡＣ）制御エレメント（ＣＥ）を受信し、その第１のＭＡＣ  ＣＥは、第１のＵＬ  ＳＰＳ構成メッセージについてコンファメーションを行うための第１のインジケータを含み、又は、送信される２つ以上の第１のＵＬ  ＳＰＳ構成メッセージ及び受信される２つ以上の第１のＭＡＣ  ＣＥが存在する場合に、第１のＵＬ  ＳＰＳ構成メッセージと第１のＭＡＣ  ＣＥとの間に対応関係が存在する。
【００４７】
一実施形態において、端末装置について構成された異なる複数のセルにおいてＵＬ  ＳＰＳグラントを構成し又は構成解除するための２つ以上のＵＬ  ＳＰＳ構成メッセージが存在する場合、ブロック２０２及び２０４は、それぞれ２回以上行われてよい。
【００４８】
他の実施形態において、複数のサービングセルについてそれぞれのＵＬ  ＳＰＳグラントがレイヤ１信号を介してアクティブ化／リリースされる場合、それら複数のサービングセルについてのコンファメーションメッセージは、１つのＭＡＣ  ＣＥへ多重化され得る。図３は、本開示の一実施形態に係る方法を描いたフローチャートであり、複数のサービングセルについてのコンファメーションメッセージが１つのＭＡＣ  ＣＥへ多重化され得る。方法３００は、図１のネットワーク装置１１０のような装置において実行され得る。そのため、ネットワーク装置１１０は、方法３００の多様な部分を達成するための手段と共に、他のコンポーネントと連携して他の処理を達成するための手段を提供し得る。
【００４９】
図３に示したように、方法３００は、ブロック３０２で開始してよく、ネットワーク装置１１０は、端末装置へ、レイヤ１信号を介して複数の第２のＵＬ  ＳＰＳ構成メッセージを送信して、それぞれ上記１つ以上のセルのうちの複数のセルにおける複数のＵＬ  ＳＰＳグラントをそれぞれ構成し又は構成解除する。例えば、図１に示したように、ネットワーク装置１１０は、それぞれ第１セル１３０及び第２セル１３２におけるＵＬ  ＳＰＳグラントを構成するための２つのＵＬ  ＳＰＳ構成メッセージを、ＰＤＣＣＨを介して端末装置１０２へ送信し得る。複数の第２のＵＬ  ＳＰＳ構成メッセージが短い時間的期間内で送信されてもよい。
【００５０】
ブロック２０４において、ネットワーク装置１１０は、端末装置から、複数の第２のＵＬ  ＳＰＳ構成メッセージのコンファメーションのための第２のＭＡＣ  ＣＥを受信する。第２のＭＡＣ  ＣＥは、複数の第２のＵＬ  ＳＰＳ構成メッセージについてコンファメーションを行うための第２のインジケータを含む。
【００５１】
第１及び第２のインジケータは、１つ以上のＵＬ  ＳＰＳ構成メッセージについてコンファメーションを行うための任意の適した形式をとることができる。例えば、第１及び第２のインジケータは、１つ以上のセルインデックス、１つ以上のＳＰＳ構成インデックス、１つ以上のセルインデックスのビットマップ、及び１つ以上のＳＰＳ構成インデックスのビットマップ、のうちの少なくとも１つを含んでよい。
【００５２】
一実施形態において、特定のサービングセルについてＵＬ  ＳＰＳをアクティブ化し又はリリースするためのレイヤ１信号の受信後に、当該サービングセルのセルインデックスが、ＵＬ  ＳＰＳアクティブ化／リリースのコンファメーションのためのＭＡＣ  ＣＥに追加される。例えば、ＭＡＣ  ＣＥ内の対応するセルインデックスを受信すると、ｇＮＢのようなネットワーク装置１１０は、そのサービングセルについてＵＬ  ＳＰＳをアクティブ化／リリースする動作が成功したと判定することができる。さもなければ、ネットワーク装置１１０は、当該サービングセルについてＵＬ  ＳＰＳをアクティブ化／リリースする動作は失敗したと判定する。
【００５３】
図４は、本開示の一実施形態に係る１つのセルインデックスを含むＭＡＣ  ＣＥペイロードを示している。図４に示したように、ＭＡＣ  ＣＥペイロードは、動作中のＵＬ  ＳＰＳ構成に対応するセルインデックスを含み、セルインデックスのサイズは、４ビットといった固定的なサイズを有する。セルインデックスのサイズは、固定的であってもよく、又は、キャリアアグリゲーションのシナリオにおいて構成することのできるセルの最大数に依存してもよい。例えば、セルインデックスのサイズは、キャリアアグリゲーションのシナリオにおいて構成することのできるセルの最大数に関わらず、２、３、４、５及び６ビットに固定されてもよい。他の例として、端末装置又はＵＥについて最大で３２個のサービングセルを構成することができる場合、セルインデックスのサイズは、５ビットを占めてもよい。
【００５４】
他の実施形態において、２つ以上のサービングセルについてＵＬ  ＳＰＳをアクティブ化し又はリリースするための２つ以上のレイヤ１信号の受信後に、それらサービングセルの２つ以上のセルインデックスを、ＵＬ  ＳＰＳアクティブ化／リリースのコンファメーションのための１つのＭＡＣ  ＣＥに追加することができる。例えば、ＭＡＣ  ＣＥ内の対応する２つ以上のセルインデックスを受信すると、ｇＮＢのようなネットワーク装置１１０は、それら２つ以上のサービングセルについてＵＬ  ＳＰＳをアクティブ化／リリースする動作が成功したと判定することができる。そうではなく、それら２つ以上のセルインデックスのうちの１つ以上がＭＡＣ  ＣＥ内で搬送されていない場合、ネットワーク装置１１０は、その１つ以上のセルについてＵＬ  ＳＰＳをアクティブ化／リリースする動作は失敗したと判定し得る。このケースにおいて、ネットワーク装置１１０は、その１つ以上のセルにおけるＵＬ  ＳＰＳグラントを構成し又は構成解除するためのＵＬ  ＳＰＳ構成メッセージを再送してもよい。
【００５５】
図５は、本開示の一実施形態に係る２つ以上のセルインデックスを含むＭＡＣ  ＣＥペイロードを示している。図５に示したように、ＭＡＣ  ＣＥペイロードは、２つの動作しているＵＬ  ＳＰＳ構成に対応する２つのセルインデックスを含み、セルインデックスのサイズは、４ビットといった固定的なサイズを有する。上述したように、セルインデックスのサイズは、固定的であってもよく、又は、キャリアアグリゲーションのシナリオにおいて構成することのできるセルの最大数に依存してもよい。
【００５６】
他の実施形態では、１つ以上のセルインデックスのビットマップが、それらサービングセルにおけるＵＬ  ＳＰＳアクティブ化／リリースのコンファメーションのために１つのＭＡＣ  ＣＥ内で搬送される。例えば、端末装置について構成された１つ以上のセルにおけるＵＬ  ＳＰＳグラントをアクティブ化／リリースするための１つ以上のレイヤ１信号を受信すると、当該端末装置は、ＵＬ  ＳＰＳ構成メッセージのコンファメーションのために上記ビットマップ内の対応するビットをセットし得る。ビットマップ情報は、最下位ビット（ＬＳＢ）から最上位ビット（ＭＳＢ）までセルインデックスの値に従って昇順／降順で並べられてよく、次のロジックを用いてセットされる値を伴う：
ビット"１"は、対応するサービングセルに、ＵＬ  ＳＰＳアクティブ化／リリースといったＵＬ  ＳＰＳ構成が適用されることを示す；
ビット"０"は、対応するサービングセルに、ＵＬ  ＳＰＳアクティブ化／リリースといったＵＬ  ＳＰＳ構成が適用されないことを示す。
【００５７】
１つ以上のセルインデックスのビットマップの長さは、固定的であってもよく、又は、端末装置について構成されたセルの数に依存してもよい。例えば、１つ以上のセルインデックスのビットマップの長さは、３〜６４ビットから選択される値に固定されてもよい。他の例として、端末装置又はＵＥについて最大で３２個のサービングセルを構成することができる場合、１つ以上のセルインデックスのビットマップの長さは、３２ビットであってもよい。
【００５８】
１つ以上のセルインデックスのビットマップの形式は、３つのオプションを有し得る：
【００５９】
オプション１：セルがアクティブか非アクティブかに関わらず、端末装置又はＵＥについて構成済みの全てのセルについて、１つ以上のセルインデックスのビットマップを生成する。即ち、ＵＥについて構成済みの各セルがビットマップ内に対応するビットを有する。図６−ａ）は、本開示の一実施形態に係るオプション１の１つ以上のセルインデックスのビットマップを含むＭＡＣ  ＣＥペイロードを示している。図６−ａ）に示したように、そのビットマップは８ビットを占め、各ビットが構成済みの１つのセルに対応する。ビットインデックス１〜８は、それぞれ８個の構成済みのセルＣ０〜Ｃ７に対応する。例えば、ネットワーク装置１１０が、セルＣ０におけるＵＬ  ＳＰＳグラントを構成するために、１つのＵＬ  ＳＰＳ構成メッセージをレイヤ１信号を介して端末装置へ送信する場合、端末装置は、ビットインデックス０のビットを値"１"にセットし、そのビットマップを含むＭＡＣ  ＣＥをネットワーク装置へ送信し得る。他の例として、ネットワーク装置１１０が、２つのセルＣ０及びＣ１においてそれぞれＵＬ  ＳＰＳグラントを構成するために、２つのＵＬ  ＳＰＳ構成メッセージをそれぞれレイヤ１信号を介して端末装置１０２へ送信する場合、端末装置は、ビットインデックス０及び１のビットを値"１"にセットし、そのビットマップを含むＭＡＣ  ＣＥをネットワーク装置へ送信し得る。
【００６０】
オプション２：端末装置又はＵＥについての全てのアクティブなセルについて、１つ以上のセルインデックスのビットマップを生成する。ビットマップには非アクティブなセルは含められず、即ち、アクティブな各セルがビットマップ内に対応するビットを有する。図６−ｂ）は、本開示の一実施形態に係るオプション２の１つ以上のセルインデックスのビットマップを含むＭＡＣ  ＣＥペイロードを示している。図６−ｂ）に示したように、５つのアクティブなセルＣ０、Ｃ１、Ｃ３、Ｃ５及びＣ７がビットマップ内に対応するビットを有し、残りの３ビットは使用されない。オプション２について、ビットマップの長さは、端末装置又はＵＥについて構成することのできるＵＬ  ＳＰＳ構成の最大数に基づいて決定され得る。
【００６１】
オプション３：端末装置又はＵＥについて、ＵＬ  ＳＰＳと共に構成されている全てのアクティブなセルについて、１つ以上のセルインデックスのビットマップを生成する。ビットマップには非アクティブなセルやＵＬ  ＳＰＳ構成を伴わないアクティブなセルは含められず、即ち、ＵＬ  ＳＰＳ構成を伴うアクティブな各セルがビットマップ内に対応するビットを有する。そうしたケースにおいて、図６−ｂ）は、本開示の一実施形態に係るオプション３の１つ以上のセルインデックスのビットマップを含むＭＡＣ  ＣＥペイロードを示している。図６−ｂ）に示したように、ＵＬ  ＳＰＳと共に構成された５つのアクティブなセルＣ０、Ｃ１、Ｃ３、Ｃ５及びＣ７がビットマップ内に対応するビットを有し、残りの３ビットは使用されない。オプション３について、ビットマップの長さは、端末装置又はＵＥについて構成することのできるＵＬ  ＳＰＳ構成の最大数に基づいて決定され得る。
【００６２】
他の実施形態では、セルインデックスの代わりに、ＵＬ  ＳＰＳ構成のインデックスがＭＡＣ  ＣＥ内で示され、各ＵＬ  ＳＰＳ構成はサービングセルに関連付けられ、一意なインデックスを割当てられる。図７は、本開示の一実施形態に係るＳＰＳ構成インデックスを１つだけ搬送するＭＡＣ  ＣＥペイロードを示している。この実施形態において、ＵＥは、各サービングセルについてＵＬ  ＳＰＳアクティブ化／リリースに対しコンファメーションするために異なるＭＡＣ  ＣＥを送信し得る。
【００６３】
図７に示したように、ＭＡＣ  ＣＥペイロードは、セルに関連付けられているＳＰＳ構成インデックスを１つのみ搬送し、そのＳＰＳ構成インデックスのサイズは、３ビットといった固定的なサイズを有する。ＳＰＳ構成インデックスのサイズは、固定的であってもよく、又は、ＭＡＣエンティティごとの最大のＳＰＳ構成に依存してもよい。例えば、ＳＰＳ構成インデックスのサイズは、２、３、４、５、６及び７ビットに固定されてもよい。他の例として、ＭＡＣエンティティごとの最大のＳＰＳ構成が３２である場合、ＳＰＳ構成インデックスのサイズは、５ビットであってもよい。
【００６４】
他の実施形態において、２つ以上のサービングセルについてＵＬ  ＳＰＳをアクティブ化し又はリリースするための２つ以上のレイヤ１信号の受信後に、２つ以上のサービングセルに関連付けられる２つ以上のＳＰＳ構成インデックスを、各サービングセルについてのＵＬ  ＳＰＳアクティブ化／リリースのコンファメーションのための１つのＭＡＣ  ＣＥに追加してもよい。例えば、ＭＡＣ  ＣＥ内の対応する２つ以上のＳＰＳ構成インデックスを受信すると、ｇＮＢのようなネットワーク装置１１０は、それら２つ以上のサービングセルについてＵＬ  ＳＰＳをアクティブ化／リリースする動作が成功したと判定することができる。そうではなく、それら２つ以上のＳＰＳ構成インデックスのうちの１つ以上がＭＡＣ  ＣＥ内で搬送されていない場合、ネットワーク装置１１０は、その１つ以上のセルについてＵＬ  ＳＰＳをアクティブ化／リリースする動作は失敗したと判定し得る。このケースにおいて、ネットワーク装置１１０は、その１つ以上のセルにおけるＵＬ  ＳＰＳグラントを構成するためのＵＬ  ＳＰＳ構成メッセージを再送してもよい。
【００６５】
図８は、本開示の一実施形態に係る２つ以上のＳＰＳ構成インデックスを含むＭＡＣ  ＣＥペイロードを示している。図８に示したように、ＭＡＣ  ＣＥペイロードは、各々が異なるサービングセルに関連付けられ得る２つのＳＰＳ構成インデックスｘ及びｙを含む。ＳＰＳ構成インデックスのサイズは、図８に示したように、３ビットといった固定的なサイズを有する。この実施形態において、短い期間内に２つの異なるサービングセルについてそれぞれＵＬ  ＳＰＳアクティブ化／リリースのための２つのレイヤ１信号が存在し、端末装置又はＵＥは、２つのＳＰＳ構成インデックスｘ及びｙを含む単一のＭＡＣ  ＣＥを介してそれら２つのサービングセルについてＵＬ  ＳＰＳアクティブ化／リリースのコンファメーションを行い得る。
【００６６】
他の例では、ＭＡＣ  ＣＥ内の１つ以上のビットマップが、２つ以上のサービングセルについてのＵＬ  ＳＰＳアクティブ化／リリースのコンファメーションを示すために使用される。各ＳＰＳ構成は、そのビットマップ内に対応するビットを有する。ビットマップ情報は、ＬＳＢからＭＳＢまでＳＰＳ構成インデックスの値に従って昇順で並べられてよく、次のロジックを用いてセットされる値を伴う：
ビット"１"は、対応するＳＰＳ構成に、構成／構成解除が適用されることを示す；
ビット"０"は、対応するＳＰＳ構成に、構成／構成解除が適用されないことを示す；
【００６７】
１つ以上のＳＰＳ構成インデックスのビットマップの長さは、（ＭＡＣエンティティごとの最大のＳＰＳ構成に依存する）固定長であってもよく、又は、ＵＥについて構成されるＳＰＳ構成の数に依存してもよい。
【００６８】
図９は、本開示の一実施形態に係る１つ以上のＳＰＳ構成インデックスのビットマップを含むＭＡＣ  ＣＥペイロードを示している。図９に示したように、ある端末装置向けの３つのＵＬ  ＳＰＳ構成（即ち、ＳＰＳ構成０、１及び２）に対応する３つのビット（即ち、ビットインデックス０、１及び２）が存在する。例えば、ネットワーク装置１１０が、３つのセルにおける３つのＵＬ  ＳＰＳグラントを構成するために、３つのＵＬ  ＳＰＳ構成メッセージ（即ち、ＳＰＳ構成０、１及び２）をレイヤ１信号を介して端末装置へ送信する場合、端末装置は、ビットインデックス０、１及び２のビットを値"１"にセットし、そのビットマップを含むＭＡＣ  ＣＥをネットワーク装置へ送信し得る。
【００６９】
なお、図４〜図９に示したようなＭＡＣ  ＣＥペイロードは例示を目的としたものに過ぎず、ＭＡＣ  ＣＥペイロードは他の実施形態においていかなる他の適した形式をとってもよい。例えば、ＭＡＣ  ＣＥペイロードのサイズ及び内容が、他の実施形態において変化してもよい。一例として、ＭＡＣ  ＣＥペイロードのサイズは、１６、３２、４０、４８、５６、６４ビットであってもよく、他の実施形態において任意の他の適した値であってもよい。
【００７０】
他の実施形態では、ＬＴＥにおける既存のＬＴＥ  ＭＡＣ  ＣＥである"SPS confirmation MAC Control Element"に対するフォーマット変更はなくてもよい。ｇＮＢのようなネットワーク装置は、ｇＮＢにより送信される複数のセルについてのＵＬ  ＳＰＳグラントのアクティブ化／リリースのためのＵＬ  ＳＰＳ構成メッセージと、ＵＥにより返送される受信されるＭＡＣ  ＣＥとの間に、予め定義されるルールに基づく対応関係を確立してもよく、そのルールとは、ＵＥから受信される第１のＭＡＣ  ＣＥは送信された第１のＵＬ  ＳＰＳ構成メッセージに対応し、受信される第２のＭＡＣ  ＣＥは送信された第２のＵＬ  ＳＰＳ構成メッセージに対応し、その他同様、などである。
【００７１】
他の実施形態では、ＬＴＥにおける既存のＬＴＥ  ＭＡＣ  ＣＥである"SPS confirmation MAC Control Element"に対するフォーマット変更はなくてもよい。ｇＮＢのようなネットワーク装置は、ｇＮＢにより送信される複数のセルについてのＵＬ  ＳＰＳグラントのアクティブ化／リリースのためのＵＬ  ＳＰＳ構成メッセージと、ＵＥにより返送されるＭＡＣ  ＣＥとの間の対応関係を、それらの間のタイミング上の対応関係と共に構成してもよい。例えば、ｇＮＢは、時刻Ｘで、特定のセルについてＵＬ  ＳＰＳを構成／構成解除するようにＵＥに命令するためのＵＬ  ＳＰＳ構成メッセージを送信し、時刻Ｘ＋ＹにてＵＬ  ＳＰＳ構成メッセージのコンファメーションのためのＭＡＣ  ＣＥがＵＥにより提供されるものと期待する。Ｙの値の範囲は、ＵＬ  ＳＰＳ構成メッセージの送信時間及び実行時間、並びに対応するＭＡＣ  ＣＥの送信時間を考慮したものであってよい。ｇＮＢは、ＭＡＣ  ＣＥの受信に先立って、ＵＥのためにグラントの割当てを提供してもよい。
【００７２】
他の実施形態では、ＬＴＥにおける既存のＬＴＥ  ＭＡＣ  ＣＥである"SPS confirmation MAC Control Element"に対するフォーマット変更はなくてもよい。ＵＬ  ＳＰＳグラントが構成され又は構成解除されるキャリアと、ＭＡＣ  ＣＥを送信するためのキャリアとの間のキャリアの対応関係が存在する。例えば、コンファメーションのためのＭＡＣ  ＣＥは、ＵＬ  ＳＰＳグラントが構成され又は構成解除されるものと同じＵＬキャリアにおいて送信されるべきである。こうした手法では、ｇＮＢは、ＭＡＣ  ＣＥが送信されるキャリアインデックスに基づいて、受信されるＭＡＣ  ＣＥとＵＬ  ＳＰＳを構成するレイヤ１信号との対応関係を判定することができる。
【００７３】
図１０は、本開示の一実施形態に係る方法１０００を描いたフローチャートであり、その方法は、図１の端末装置１０２のような装置において実行され得る。そのため、端末装置は、方法１０００の多様な部分を達成するための手段と共に、他のコンポーネントと連携して他の処理を達成するための手段を提供し得る。上の実施形態において説明したいくつかの部分について、その詳細な説明は、ここでは簡明さのために省略される。
【００７４】
図１０に示したように、方法１０００は、ブロック１００２にて開始してよく、端末装置１０２は、ネットワーク装置から、レイヤ１信号を介して第１のＵＬ  ＳＰＳ構成メッセージを受信して、端末装置について構成された１つ以上のセルのうちのセルにおけるＵＬ  ＳＰＳグラントを構成し又は構成解除する。
【００７５】
ブロック１００４において、端末装置１０２は、ネットワーク装置へ、第１のＵＬ  ＳＰＳ構成メッセージのコンファメーションのための第１のＭＡＣ  ＣＥを送信する。第１のＭＡＣ  ＣＥは、第１のＵＬ  ＳＰＳ構成メッセージについてコンファメーションを行うための第１のインジケータを含み、又は、送信される２つ以上の第１のＵＬ  ＳＰＳ構成メッセージ及び受信される２つ以上の第１のＭＡＣ  ＣＥが存在する場合に、第１のＵＬ  ＳＰＳ構成メッセージと第１のＭＡＣ  ＣＥとの間に対応関係が存在する。
【００７６】
図１１は、本開示の一実施形態に係る方法１１００を描いたフローチャートであり、その方法は、図１の端末装置１０２のような装置において実行され得る。そのため、端末装置は、方法１１００の多様な部分を達成するための手段と共に、他のコンポーネントと連携して他の処理を達成するための手段を提供し得る。上の実施形態において説明したいくつかの部分について、その詳細な説明は、ここでは簡明さのために省略される。
【００７７】
図１１に示したように、方法１１００は、ブロック１１０２にて開始してよく、端末装置１０２は、ネットワーク装置から、レイヤ１信号を介して複数の第２のＵＬ  ＳＰＳ構成メッセージを受信して、それぞれ１つ以上のセルのうちの複数のセルにおける複数のＵＬ  ＳＰＳグラントをそれぞれ構成し又は構成解除する。
【００７８】
ブロック１１０４において、端末装置１０２は、ネットワーク装置へ、複数の第２のＵＬ  ＳＰＳ構成メッセージのコンファメーションのための第２のＭＡＣ  ＣＥを送信する。第２のＭＡＣ  ＣＥは、複数の第２のＵＬ  ＳＰＳ構成メッセージについてコンファメーションを行うための第２のインジケータを含む。
【００７９】
一実施形態において、第１及び第２のインジケータは、１つ以上のセルインデックス、１つ以上のＳＰＳ構成インデックス、１つ以上のセルインデックスのビットマップ、及び１つ以上のＳＰＳ構成インデックスのビットマップ、のうちの少なくとも１つを含む。
【００８０】
一実施形態において、１つ以上のセルインデックスのビットマップは、最下位ビットから最上位ビットまで、１つ以上のセルインデックスの値に従って昇順で又は降順で並べられる。
【００８１】
一実施形態において、１つ以上のセルインデックスのビットマップの長さは、固定的であり、又は、端末装置について構成されたセルの数に依存する。
【００８２】
一実施形態において、端末装置について構成された各セルが１つ以上のセルインデックスのビットマップにおいて対応するビットを有し、端末装置についてアクティブな各セルが１つ以上のセルインデックスのビットマップにおいて対応するビットを有し、又は、端末装置についてＵＬ  ＳＰＳと共に構成されたアクティブな各セルが１つ以上のセルインデックスのビットマップにおいて対応するビットを有する。
【００８３】
一実施形態において、セルインデックスのサイズは、固定的であり、又は、キャリアアグリゲーションのシナリオにおいて構成することのできるセルの最大数に依存する。
【００８４】
一実施形態において、ＵＬ  ＳＰＳ構成は、セルに関連付けられ、一意なＳＰＳ構成インデックスを割当てられる。
【００８５】
一実施形態において、１つ以上のＳＰＳ構成インデックスのビットマップは、最下位ビットから最上位ビットまで、１つ以上のＳＰＳ構成インデックスのそれぞれの値に従って昇順／降順で並べられる。
【００８６】
一実施形態において、１つ以上のＳＰＳ構成インデックスのビットマップの長さは、固定的であり、又は、端末装置について構成されたＵＰ  ＳＰＳ構成の数に依存する。
【００８７】
一実施形態において、ＭＡＣ  ＣＥにおけるセルインデックスは、対応するセルにＵＬ  ＳＰＳ構成が適用されることを示し、ＭＡＣ  ＣＥにおけるＳＰＳ構成インデックスは、セルに関連付けられる対応するＳＰＳ構成がそのＵＬ  ＳＰＳ構成に適用されることを示す。
【００８８】
一実施形態において、上記対応関係は、第１のＭＡＣ  ＣＥの送信順に対応する第１のＵＬ  ＳＰＳ構成メッセージの受信順、第１のＵＬ  ＳＰＳ構成メッセージの受信と第１のＭＡＣ  ＣＥの送信との間のタイミングの対応関係、及びＵＬ  ＳＰＳグラントが構成され又は構成解除されるキャリアと、第１のＭＡＣ  ＣＥを送信するためのキャリアとの間のキャリアの対応関係、のうちの少なくとも１つを含む。
【００８９】
一実施形態において、ＵＬ  ＳＰＳ構成メッセージは、ＵＬ  ＳＰＳグラントをアクティブ化し又はリリースするために使用される。
【００９０】
図１２は、上述したようなＳＰＳのための方法を実装可能なネットワーク装置を描いている。図１２に示したように、ネットワーク装置１２００は、処理装置１２０４、メモリ１２０５、及び、プロセッサ１２０４と動作上の通信関係にある無線モデムサブシステム１２０１を備える。無線モデムサブシステム１２０１は、少なくとも１つの送信機１２０２と、少なくとも１つの受信機１２０３とを含む。図１２には１つのプロセッサのみが示されているものの、処理装置１２０４は、複数のプロセッサ又はマルチコアプロセッサを含んでもよい。加えて、処理装置１２０４は、処理演算を促進するためのキャッシュをも含んでもよい。
【００９１】
メモリ１２０５にはコンピュータ実行可能な命令群をロードすることができ、それら命令群は、処理装置１２０４により実行された場合に、ネットワーク装置１２００に、ＳＰＳのための上述した方法を実施させる。具体的には、コンピュータ実行可能な命令群は、ネットワーク装置１２００に、端末装置へ、レイヤ１信号を介して第１のアップリンク（ＵＬ）ＳＰＳ構成メッセージを送信して、当該端末装置について構成された１つ以上のセルのうちのセルにおけるＵＬ  ＳＰＳグラントを構成し又は構成解除することと、当該端末装置から、第１のＵＬ  ＳＰＳ構成メッセージのコンファメーションのための第１のＭＡＣ  ＣＥを受信することと、を行わせ、その第１のＭＡＣ  ＣＥは、第１のＵＬ  ＳＰＳ構成メッセージについてコンファメーションを行うための第１のインジケータを含み、又は、送信される２つ以上の第１のＵＬ  ＳＰＳ構成メッセージ及び受信される２つ以上の第１のＭＡＣ  ＣＥが存在する場合に、第１のＵＬ  ＳＰＳ構成メッセージと第１のＭＡＣ  ＣＥとの間に対応関係が存在する。
【００９２】
一実施形態において、コンピュータ実行可能な命令群は、ネットワーク装置１２００に、さらに、上記端末装置へ、レイヤ１信号を介して複数の第２のＵＬ  ＳＰＳ構成メッセージを送信して、それぞれ１つ以上のセルのうちの複数のセルにおける複数のＵＬ  ＳＰＳグラントをそれぞれ構成し又は構成解除することと、上記端末装置から、複数の第２のＵＬ  ＳＰＳ構成メッセージのコンファメーションのための第２のＭＡＣ  ＣＥを受信することと、を行わせることができ、第２のＭＡＣ  ＣＥは、複数の第２のＵＬ  ＳＰＳ構成メッセージについてコンファメーションを行うための第２のインジケータを含む。
【００９３】
一実施形態において、第１及び第２のインジケータは、１つ以上のセルインデックス、１つ以上のＳＰＳ構成インデックス、１つ以上のセルインデックスのビットマップ、及び１つ以上のＳＰＳ構成インデックスのビットマップ、のうちの少なくとも１つを含む。
【００９４】
一実施形態において、１つ以上のセルインデックスのビットマップは、最下位ビットから最上位ビットまで、１つ以上のセルインデックスの値に従って昇順で又は降順で並べられる。
【００９５】
一実施形態において、１つ以上のセルインデックスのビットマップの長さは、固定的であり、又は、端末装置について構成されたセルの数に依存する。
【００９６】
一実施形態において、端末装置について構成された各セルが１つ以上のセルインデックスのビットマップにおいて対応するビットを有し、端末装置についてアクティブな各セルが１つ以上のセルインデックスのビットマップにおいて対応するビットを有し、又は、端末装置についてＵＬ  ＳＰＳと共に構成されたアクティブな各セルが１つ以上のセルインデックスのビットマップにおいて対応するビットを有する。
【００９７】
一実施形態において、セルインデックスのサイズは、固定的であり、又は、キャリアアグリゲーションのシナリオにおいて構成することのできるセルの最大数に依存する。
【００９８】
一実施形態において、ＵＬ  ＳＰＳ構成は、セルに関連付けられ、一意なＳＰＳ構成インデックスを割当てられる。
【００９９】
一実施形態において、１つ以上のＳＰＳ構成インデックスのビットマップは、最下位ビットから最上位ビットまで、１つ以上のＳＰＳ構成インデックスのそれぞれの値に従って昇順／降順で並べられる。
【０１００】
一実施形態において、１つ以上のＳＰＳ構成インデックスのビットマップの長さは、固定的であり、又は、端末装置について構成されたＵＰ  ＳＰＳ構成の数に依存する。
【０１０１】
一実施形態において、ＭＡＣ  ＣＥにおけるセルインデックスは、対応するセルにＵＬ  ＳＰＳ構成が適用されることを示し、ＭＡＣ  ＣＥにおけるＳＰＳ構成インデックスは、セルに関連付けられる対応するＳＰＳ構成がそのＵＬ  ＳＰＳ構成に適用されることを示す。
【０１０２】
一実施形態において、上記対応関係は、第１のＭＡＣ  ＣＥの受信順に対応する第１のＵＬ  ＳＰＳ構成メッセージの送信順、第１のＵＬ  ＳＰＳ構成メッセージの送信と第１のＭＡＣ  ＣＥの受信との間のタイミングの対応関係、及びＵＬ  ＳＰＳグラントが構成され又は構成解除されるキャリアと、第１のＭＡＣ  ＣＥを送信するためのキャリアとの間のキャリアの対応関係、のうちの少なくとも１つを含む。
【０１０３】
一実施形態において、ＵＬ  ＳＰＳ構成メッセージは、ＵＬ  ＳＰＳグラントをアクティブ化し又はリリースするために使用される。
【０１０４】
図１３は、上述したようなＳＰＳのための方法を実装可能な端末装置を描いている。図１３に示したように、端末装置１３００は、処理装置１３０４、メモリ１３０５、及び、プロセッサ１３０４と動作上の通信関係にある無線モデムサブシステム１３０１を備える。無線モデムサブシステム１３０１は、少なくとも１つの送信機１３０２と、少なくとも１つの受信機１３０３とを含む。図１３には１つのプロセッサのみが示されているものの、処理装置１３０４は、複数のプロセッサ又はマルチコアプロセッサを含んでもよい。加えて、処理装置１３０４は、処理演算を促進するためのキャッシュをも含んでもよい。
【０１０５】
メモリ１３０５にはコンピュータ実行可能な命令群をロードすることができ、それら命令群は、処理装置１３０４により実行された場合に、端末装置１３００に、ＳＰＳのための上述した方法を実施させる。具体的には、コンピュータ実行可能な命令群は、端末装置１３００に、ネットワーク装置から、レイヤ１信号を介して第１のＵＬ  ＳＰＳ構成メッセージを受信して、端末装置について構成された１つ以上のセルのうちのセルにおけるＵＬ  ＳＰＳグラントを構成し又は構成解除することと、ネットワーク装置へ、第１のＵＬ  ＳＰＳ構成メッセージのコンファメーションのための第１のＭＡＣ  ＣＥを送信することと、を行わせ、その第１のＭＡＣ  ＣＥは、第１のＵＬ  ＳＰＳ構成メッセージについてコンファメーションを行うための第１のインジケータを含み、又は、送信される２つ以上の第１のＵＬ  ＳＰＳ構成メッセージ及び受信される２つ以上の第１のＭＡＣ  ＣＥが存在する場合に、第１のＵＬ  ＳＰＳ構成メッセージと第１のＭＡＣ  ＣＥとの間に対応関係が存在する。
【０１０６】
一実施形態において、コンピュータ実行可能な命令群は、端末装置１３００に、さらに、上記ネットワーク装置から、レイヤ１信号を介して複数の第２のＵＬ  ＳＰＳ構成メッセージを受信して、それぞれ１つ以上のセルのうちの複数のセルにおける複数のＵＬ  ＳＰＳグラントをそれぞれ構成し又は構成解除することと、上記ネットワーク装置へ、複数の第２のＵＬ  ＳＰＳ構成メッセージのコンファメーションのための第２のＭＡＣ  ＣＥを送信することと、を行わせることができ、第２のＭＡＣ  ＣＥは、複数の第２のＵＬ  ＳＰＳ構成メッセージについてコンファメーションを行うための第２のインジケータを含む。
【０１０７】
一実施形態において、第１及び第２のインジケータは、１つ以上のセルインデックス、１つ以上のＳＰＳ構成インデックス、１つ以上のセルインデックスのビットマップ、及び１つ以上のＳＰＳ構成インデックスのビットマップ、のうちの少なくとも１つを含む。
【０１０８】
一実施形態において、１つ以上のセルインデックスのビットマップは、最下位ビットから最上位ビットまで、１つ以上のセルインデックスの値に従って昇順で又は降順で並べられる。
【０１０９】
一実施形態において、１つ以上のセルインデックスのビットマップの長さは、固定的であり、又は、端末装置について構成されたセルの数に依存する。
【０１１０】
一実施形態において、端末装置について構成された各セルが１つ以上のセルインデックスのビットマップにおいて対応するビットを有し、端末装置についてアクティブな各セルが１つ以上のセルインデックスのビットマップにおいて対応するビットを有し、又は、端末装置についてＵＬ  ＳＰＳと共に構成されたアクティブな各セルが１つ以上のセルインデックスのビットマップにおいて対応するビットを有する。
【０１１１】
一実施形態において、セルインデックスのサイズは、固定的であり、又は、キャリアアグリゲーションのシナリオにおいて構成することのできるセルの最大数に依存する。
【０１１２】
一実施形態において、ＵＬ  ＳＰＳ構成は、セルに関連付けられ、一意なＳＰＳ構成インデックスを割当てられる。
【０１１３】
一実施形態において、１つ以上のＳＰＳ構成インデックスのビットマップは、最下位ビットから最上位ビットまで、１つ以上のＳＰＳ構成インデックスのそれぞれの値に従って昇順／降順で並べられる。
【０１１４】
一実施形態において、１つ以上のＳＰＳ構成インデックスのビットマップの長さは、固定的であり、又は、端末装置について構成されたＵＰ  ＳＰＳ構成の数に依存する。
【０１１５】
一実施形態において、ＭＡＣ  ＣＥにおけるセルインデックスは、対応するセルにＵＬ  ＳＰＳ構成が適用されることを示し、ＭＡＣ  ＣＥにおけるＳＰＳ構成インデックスは、セルに関連付けられる対応するＳＰＳ構成がそのＵＬ  ＳＰＳ構成に適用されることを示す。
【０１１６】
一実施形態において、上記対応関係は、第１のＭＡＣ  ＣＥの送信順に対応する第１のＵＬ  ＳＰＳ構成メッセージの受信順、第１のＵＬ  ＳＰＳ構成メッセージの受信と第１のＭＡＣ  ＣＥの送信との間のタイミングの対応関係、及びＵＬ  ＳＰＳグラントが構成され又は構成解除されるキャリアと、第１のＭＡＣ  ＣＥを送信するためのキャリアとの間のキャリアの対応関係、のうちの少なくとも１つを含む。
【０１１７】
一実施形態において、ＵＬ  ＳＰＳ構成メッセージは、ＵＬ  ＳＰＳグラントをアクティブ化し又はリリースするために使用される。
【０１１８】
図１４は、本開示の一実施形態に係るホストコンピュータ、ネットワーク装置、及び端末装置を含む通信システムにおいて実施される方法を描いたフローチャートであり、その方法は、図１のホストコンピュータ１５０のような装置において実行され得る。そのため、ホストコンピュータは、方法１４００の多様な部分を達成するための手段と共に、他のコンポーネントと連携して他の処理を達成するための手段を提供し得る。上の実施形態において説明したいくつかの部分について、その詳細な説明は、ここでは簡明さのために省略される。
【０１１９】
図１４に示したように、方法１４００は、ブロック１４０２にて開始してよく、ホストコンピュータ１５０は、端末装置からネットワーク装置への送信に由来するユーザデータを受信する。ネットワーク装置は、上述したようなネットワーク装置に関連付けられる方法を実行するように構成され、端末装置は、上述したような端末装置に関連付けられる方法を実行するように構成される。
【０１２０】
図１５は、本開示の一実施形態に係るホストコンピュータ、ネットワーク装置、及び端末装置を含む通信システムにおいて実施される方法を描いたフローチャートであり、その方法は、図１のホストコンピュータ１５０のような装置において実行され得る。そのため、ホストコンピュータ１５０は、方法１５００の多様な部分を達成するための手段と共に、他のコンポーネントと連携して他の処理を達成するための手段を提供し得る。上の実施形態において説明したいくつかの部分について、その詳細な説明は、ここでは簡明さのために省略される。
【０１２１】
図１５に示したように、方法１５００は、ブロック１５０２にて開始してよく、ホストコンピュータ１５０は、端末装置へのユーザデータを搬送する、ネットワーク装置を介する送信を開始する。ネットワーク装置は、上述したようなネットワーク装置に関連付けられる方法を実行するように構成され、端末装置は、上述したような端末装置に関連付けられる方法を実行するように構成される。
【０１２２】
本開示のある観点によれば、 コンピュータ実行可能なプログラム命令群を記憶した少なくとも１つの非一時的なコンピュータ読取可能な記憶媒体を含むコンピュータプログラムプロダクトが提供され、当該コンピュータ実行可能な命令群は、実行された場合に、ネットワーク装置を上述したように動作させる。
【０１２３】
本開示のある観点によれば、 コンピュータ実行可能なプログラム命令群を記憶した少なくとも１つの非一時的なコンピュータ読取可能な記憶媒体を含むコンピュータプログラムプロダクトが提供され、当該コンピュータ実行可能な命令群は、実行された場合に、端末装置を上述したように動作させる。
【０１２４】
なお、ネットワーク装置及び端末装置のコンポーネントのいずれも、ハードウェアとして又はソフトウェアモジュールとして実装されることができる。ソフトウェアモジュールのケースでは、それらを、有形のコンピュータ読取可能かつ記録可能な記憶媒体上で具現化することができる。ソフトウェアモジュールの全て（又はそれらの任意のサブセット）が同一の媒体上にあってもよく、又は、例えば各々が異なる媒体上にあってもよい。ソフトウェアモジュールは、例えば、ハードウェアプロセッサ上で稼働し得る。この場合、方法のステップは、上述したように、ハードウェアプロセッサ上で実行される個別のソフトウェアモジュールを用いて遂行され得る。
【０１２５】
"コンピュータプログラム"、"ソフトウェア"及び"コンピュータプログラムコード"との用語は、ある機能を演じる何らかのシーケンス、又は人間若しくは機械により認識可能なステップを含むものとする。そうしたプログラムは、例えば、Ｃ／Ｃ＋＋、Ｆｏｒｔｒａｎ、ＣＯＢＯＬ、ＰＡＳＣＡＬ、アセンブリ言語、及びマークアップ言語（例えば、ＨＴＭＬ、ＳＧＭＬ、ＸＭＬ）など、並びに、ＣＯＲＢＡ（Common Object Request Broker Architecture）、（Ｊ２ＭＥ、Java Beansなどを含む）Ｊａｖａ（登録商標）、及びＢＲＥＷ（Binary Runtime Environment）などといったオブジェクト指向環境を含む、任意のプログラム言語又は環境において仮想的にレンダリングされてもよい。
【０１２６】
"メモリ"及び"記憶装置"との用語は、限定ではないものの、電子的な、磁気的な、光学的な、電磁気的な、赤外線の、又は半導体の、システム、装置若しくはデバイス、又はそれらの任意の適した組合せを含むものとする。メモリ又は記憶装置のより具体的な例（網羅的ではない列挙）は、次のものを含むであろう：１つ以上のワイヤを有する電気的接続、ポータブルコンピュータディスケット、ハードディスク、ＲＡＭ（random access memory）、ＲＯＭ（read-only memory）、ＥＰＲＯＭ（erasable programmable read-only memory）若しくはフラッシュメモリ、光ファイバ、ポータブルＣＤ−ＲＯＭ（compact disc read-only memory）、光学記憶装置、磁気記憶装置、又はこれらの任意の適した組合せ。
【０１２７】
いずれのケースでも、理解されるべきこととして、ここで説明したコンポーネントは、例えば、ＡＳＩＣ（application specific integrated circuit）、機能的回路、及び、関連付けられるメモリと共に適切にプログラミングされた汎用デジタルコンピュータなどといった、多様な形式のハードウェア、ソフトウェア、又はそれらの組合せで実装されてよい。ここで提供される開示の教示を所与として、当業者は、本開示のコンポーネントの他の実装を想起することができるであろう。
【０１２８】
例示の目的のために多様な実施形態の説明が呈示されているが、それらは網羅的なものでもなく、開示した実施形態を限定することも意図してもいない。説明した実施形態のスコープ及び思想から逸脱することなく、当業者には多くの修正及び変形が明らかとなるであろう。
【図１】
2021510031.tif 000003
【図２】
2021510031.tif 000004
【図３】
2021510031.tif 000005
【図４】
2021510031.tif 000006
【図５】
2021510031.tif 000007
【図６】
2021510031.tif 000008
【図７】
2021510031.tif 000009
【図８】
2021510031.tif 000010
【図９】
2021510031.tif 000011
【図１０】
2021510031.tif 000012
【図１１】
2021510031.tif 000013
【図１２】
2021510031.tif 000014
【図１３】
2021510031.tif 000015
【図１４】
2021510031.tif 000016
【図１５】
2021510031.tif 000017
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
半永続的スケジューリング（ＳＰＳ）のための方法であって、
端末装置へ、レイヤ１信号を介して第１のアップリンク（ＵＬ）ＳＰＳ構成メッセージを送信して、前記端末装置について構成された１つ以上のセルのうちのセルにおけるＵＬ  ＳＰＳグラントを構成し又は構成解除することと、
前記端末装置から、前記第１のＵＬ  ＳＰＳ構成メッセージのコンファメーションのための第１のメディアアクセス制御（ＭＡＣ）制御エレメント（ＣＥ）を受信することと、を含み、
前記第１のＭＡＣ  ＣＥは、前記第１のＵＬ  ＳＰＳ構成メッセージについてコンファメーションを行うための第１のインジケータを含み、又は、送信される２つ以上の第１のＵＬ  ＳＰＳ構成メッセージ及び受信される２つ以上の第１のＭＡＣ  ＣＥが存在する場合に、前記第１のＵＬ  ＳＰＳ構成メッセージと前記第１のＭＡＣ  ＣＥとの間に対応関係が存在する、方法。
【請求項２】
請求項１に記載の方法であって、
前記端末装置へ、前記レイヤ１信号を介して複数の第２のＵＬ  ＳＰＳ構成メッセージを送信して、それぞれ前記１つ以上のセルのうちの複数のセルにおける複数のＵＬ  ＳＰＳグラントをそれぞれ構成し又は構成解除することと、
前記端末装置から、前記複数の第２のＵＬ  ＳＰＳ構成メッセージのコンファメーションのための第２のＭＡＣ  ＣＥを受信することと、をさらに含み、
前記第２のＭＡＣ  ＣＥは、前記複数の第２のＵＬ  ＳＰＳ構成メッセージについてコンファメーションを行うための第２のインジケータを含む、方法。
【請求項３】
請求項２に記載の方法であって、前記第１のインジケータ及び前記第２のインジケータは、
１つ以上のセルインデックス、
１つ以上のＳＰＳ構成インデックス、
１つ以上のセルインデックスのビットマップ、及び
１つ以上のＳＰＳ構成インデックスのビットマップ、のうちの少なくとも１つを含む、方法。
【請求項４】
請求項３に記載の方法であって、１つ以上のセルインデックスの前記ビットマップは、最下位ビットから最上位ビットまで、前記１つ以上のセルインデックスの値に従って昇順で又は降順で並べられる、方法。
【請求項５】
請求項３又は４に記載の方法であって、１つ以上のセルインデックスの前記ビットマップの長さは、固定的であり、又は、前記端末装置について構成された前記セルの数に依存する、方法。
【請求項６】
請求項３乃至５のいずれか１項に記載の方法であって、前記端末装置について構成された各セルが１つ以上のセルインデックスの前記ビットマップにおいて対応するビットを有し、前記端末装置についてアクティブな各セルが１つ以上のセルインデックスの前記ビットマップにおいて対応するビットを有し、又は、前記端末装置についてＵＬ  ＳＰＳと共に構成されたアクティブな各セルが１つ以上のセルインデックスの前記ビットマップにおいて対応するビットを有する、方法。
【請求項７】
請求項３乃至６のいずれか１項に記載の方法であって、前記セルインデックスのサイズは、固定的であり、又は、キャリアアグリゲーションのシナリオにおいて構成することのできるセルの最大数に依存する、方法。
【請求項８】
請求項３乃至７のいずれか１項に記載の方法であって、ＵＬ  ＳＰＳ構成は、セルに関連付けられ、一意なＳＰＳ構成インデックスを割当てられる、方法。
【請求項９】
請求項３乃至８のいずれか１項に記載の方法であって、１つ以上のＳＰＳ構成インデックスの前記ビットマップは、最下位ビットから最上位ビットまで、前記１つ以上のＳＰＳ構成インデックスのそれぞれの値に従って昇順／降順で並べられる、方法。
【請求項１０】
請求項３乃至９のいずれか１項に記載の方法であって、前記１つ以上のＳＰＳ構成インデックスの前記ビットマップの長さは、固定的であり、又は、前記端末装置について構成されたＵＬ  ＳＰＳ構成の数に依存する、方法。
【請求項１１】
請求項３乃至１０のいずれか１項に記載の方法であって、前記第１のＭＡＣ  ＣＥにおける前記セルインデックスは、対応するセルに第１のＵＬ  ＳＰＳ構成が適用されることを示し、前記第１のＭＡＣ  ＣＥにおける前記ＳＰＳ構成インデックスは、セルに関連付けられる対応するＳＰＳ構成が前記第１のＵＬ  ＳＰＳ構成に適用されることを示す、方法。
【請求項１２】
請求項１乃至１１のいずれか１項に記載の方法であって、前記対応関係は、
前記第１のＭＡＣ  ＣＥの受信順に対応する前記第１のＵＬ  ＳＰＳ構成メッセージの送信順、
前記第１のＵＬ  ＳＰＳ構成メッセージの前記送信と前記第１のＭＡＣ  ＣＥの前記受信との間のタイミングの対応関係、及び
前記ＵＬ  ＳＰＳグラントが構成され又は構成解除されるキャリアと、前記第１のＭＡＣ  ＣＥを送信するためのキャリアとの間のキャリアの対応関係、のうちの少なくとも１つを含む、方法。
【請求項１３】
半永続的スケジューリング（ＳＰＳ）のための方法であって、
ネットワーク装置から、レイヤ１信号を介して第１のアップリンク（ＵＬ）ＳＰＳ構成メッセージを受信して、端末装置について構成された１つ以上のセルのうちのセルにおけるＵＬ  ＳＰＳグラントを構成し又は構成解除することと、
前記ネットワーク装置へ、前記第１のＵＬ  ＳＰＳ構成メッセージのコンファメーションのための第１のメディアアクセス制御（ＭＡＣ）制御エレメント（ＣＥ）を送信することと、を含み、
前記第１のＭＡＣ  ＣＥは、前記第１のＵＬ  ＳＰＳ構成メッセージについてコンファメーションを行うための第１のインジケータを含み、又は、送信される２つ以上の第１のＵＬ  ＳＰＳ構成メッセージ及び受信される２つ以上の第１のＭＡＣ  ＣＥが存在する場合に、前記第１のＵＬ  ＳＰＳ構成メッセージと前記第１のＭＡＣ  ＣＥとの間に対応関係が存在する、方法。
【請求項１４】
請求項１３に記載の方法であって、
前記ネットワーク装置から、前記レイヤ１信号を介して複数の第２のＵＬ  ＳＰＳ構成メッセージを受信して、それぞれ前記１つ以上のセルのうちの複数のセルにおける複数のＵＬ  ＳＰＳグラントをそれぞれ構成し又は構成解除することと、
前記ネットワーク装置へ、前記複数の第２のＵＬ  ＳＰＳ構成メッセージのコンファメーションのための第２のＭＡＣ  ＣＥを送信することと、をさらに含み、
前記第２のＭＡＣ  ＣＥは、前記複数の第２のＵＬ  ＳＰＳ構成メッセージについてコンファメーションを行うための第２のインジケータを含む、方法。
【請求項１５】
請求項１４に記載の方法であって、前記第１のインジケータ及び前記第２のインジケータは、
１つ以上のセルインデックス、
１つ以上のＳＰＳ構成インデックス、
１つ以上のセルインデックスのビットマップ、及び
１つ以上のＳＰＳ構成インデックスのビットマップ、のうちの少なくとも１つを含む、方法。
【請求項１６】
請求項１５に記載の方法であって、１つ以上のセルインデックスの前記ビットマップは、最下位ビットから最上位ビットまで、前記１つ以上のセルインデックスの値に従って昇順で又は降順で並べられる、方法。
【請求項１７】
請求項１５又は１６に記載の方法であって、１つ以上のセルインデックスの前記ビットマップの長さは、固定的であり、又は、前記端末装置について構成された前記セルの数に依存する、方法。
【請求項１８】
請求項１５乃至１７のいずれか１項に記載の方法であって、前記端末装置について構成された各セルが１つ以上のセルインデックスの前記ビットマップにおいて対応するビットを有し、前記端末装置についてアクティブな各セルが１つ以上のセルインデックスの前記ビットマップにおいて対応するビットを有し、又は、前記端末装置についてＵＬ  ＳＰＳと共に構成されたアクティブな各セルが１つ以上のセルインデックスの前記ビットマップにおいて対応するビットを有する、方法。
【請求項１９】
請求項１５乃至１８のいずれか１項に記載の方法であって、前記セルインデックスのサイズは、固定的であり、又は、キャリアアグリゲーションのシナリオにおいて構成することのできるセルの最大数に依存する、方法。
【請求項２０】
請求項１５乃至１９のいずれか１項に記載の方法であって、ＵＬ  ＳＰＳ構成は、セルに関連付けられ、一意なＳＰＳ構成インデックスを割当てられる、方法。
【請求項２１】
請求項１５乃至２０のいずれか１項に記載の方法であって、１つ以上のＳＰＳ構成インデックスの前記ビットマップは、最下位ビットから最上位ビットまで、前記１つ以上のＳＰＳ構成インデックスのそれぞれの値に従って昇順／降順で並べられる、方法。
【請求項２２】
請求項１５乃至２１のいずれか１項に記載の方法であって、前記１つ以上のＳＰＳ構成インデックスの前記ビットマップの長さは、固定的であり、又は、前記端末装置について構成されたＵＬ  ＳＰＳ構成の数に依存する、方法。
【請求項２３】
請求項１５乃至２２のいずれか１項に記載の方法であって、前記第１のＭＡＣ  ＣＥにおける前記セルインデックスは、対応するセルに第１のＵＬ  ＳＰＳ構成が適用されることを示し、前記第１のＭＡＣ  ＣＥにおける前記ＳＰＳ構成インデックスは、セルに関連付けられる対応するＳＰＳ構成が前記第１のＵＬ  ＳＰＳ構成に適用されることを示す、方法。
【請求項２４】
請求項１３乃至２３のいずれか１項に記載の方法であって、前記対応関係は、
前記第１のＭＡＣ  ＣＥの送信順に対応する前記第１のＵＬ  ＳＰＳ構成メッセージの受信順、
前記第１のＵＬ  ＳＰＳ構成メッセージの前記受信と前記第１のＭＡＣ  ＣＥの前記送信との間のタイミングの対応関係、及び
前記ＵＬ  ＳＰＳグラントが構成され又は構成解除されるキャリアと、前記第１のＭＡＣ  ＣＥを送信するためのキャリアとの間のキャリアの対応関係、のうちの少なくとも１つを含む、方法。
【請求項２５】
ネットワーク装置であって、
プロセッサと、
前記プロセッサにより実行可能な命令群を収容するメモリと、を備え、それにより前記ネットワーク装置は、
端末装置へ、レイヤ１信号を介して第１のアップリンク（ＵＬ）ＳＰＳ構成メッセージを送信して、前記端末装置について構成された１つ以上のセルのうちのセルにおけるＵＬ  ＳＰＳグラントを構成し又は構成解除することと、
前記端末装置から、前記第１のＵＬ  ＳＰＳ構成メッセージのコンファメーションのための第１のメディアアクセス制御（ＭＡＣ）制御エレメント（ＣＥ）を受信することと、を行うように動作可能であり、
前記第１のＭＡＣ  ＣＥは、前記第１のＵＬ  ＳＰＳ構成メッセージについてコンファメーションを行うための第１のインジケータを含み、又は、送信される２つ以上の第１のＵＬ  ＳＰＳ構成メッセージ及び受信される２つ以上の第１のＭＡＣ  ＣＥが存在する場合に、前記第１のＵＬ  ＳＰＳ構成メッセージと前記第１のＭＡＣ  ＣＥとの間に対応関係が存在する、ネットワーク装置。
【請求項２６】
請求項２５に記載のネットワーク装置であって、請求項１乃至１２のいずれか１項に記載の方法を実行するように動作可能である、ネットワーク装置。
【請求項２７】
端末装置であって、
プロセッサと、
前記プロセッサにより実行可能な命令群を収容するメモリと、を備え、それにより前記端末装置は、
ネットワーク装置から、レイヤ１信号を介して第１のアップリンク（ＵＬ）ＳＰＳ構成メッセージを受信して、端末装置について構成された１つ以上のセルのうちのセルにおけるＵＬ  ＳＰＳグラントを構成し又は構成解除することと、
前記ネットワーク装置へ、前記第１のＵＬ  ＳＰＳ構成メッセージのコンファメーションのための第１のメディアアクセス制御（ＭＡＣ）制御エレメント（ＣＥ）を送信することと、を行うように動作可能であり、
前記第１のＭＡＣ  ＣＥは、前記第１のＵＬ  ＳＰＳ構成メッセージについてコンファメーションを行うための第１のインジケータを含み、又は、送信される２つ以上の第１のＵＬ  ＳＰＳ構成メッセージ及び受信される２つ以上の第１のＭＡＣ  ＣＥが存在する場合に、前記第１のＵＬ  ＳＰＳ構成メッセージと前記第１のＭＡＣ  ＣＥとの間に対応関係が存在する、端末装置。
【請求項２８】
請求項２７に記載の端末装置であって、請求項１３乃至２４のいずれか１項に記載の方法を実行するように動作可能である、端末装置。
【請求項２９】
少なくとも１つのプロセッサにより実行された場合に、前記少なくとも１つのプロセッサに、請求項１乃至１２のいずれか１項に記載の方法を行わせる命令群、を含む、コンピュータプログラム。
【請求項３０】
少なくとも１つのプロセッサにより実行された場合に、前記少なくとも１つのプロセッサに、請求項１３乃至２４のいずれか１項に記載の方法を行わせる命令群、を含む、コンピュータプログラム。
【請求項３１】
コンピュータ読取可能な記憶媒体であって、少なくとも１つのプロセッサにより実行された場合に、前記少なくとも１つのプロセッサに、請求項１乃至１２のいずれか１項に記載の方法を行わせる命令群、を含む、コンピュータ読取可能な記憶媒体。
【請求項３２】
コンピュータ読取可能な記憶媒体であって、少なくとも１つのプロセッサにより実行された場合に、前記少なくとも１つのプロセッサに、請求項１３乃至２４のいずれか１項に記載の方法を行わせる命令群、を含む、コンピュータ読取可能な記憶媒体。
【請求項３３】
ホストコンピュータ、ネットワーク装置及び端末装置を含む通信システムにおいて実装される方法であって、
前記ホストコンピュータにおいて、前記端末装置から前記ネットワーク装置への送信に由来するユーザデータを受信すること、を含み、
前記ネットワーク装置は、請求項１乃至１２のいずれか１項に記載の方法を実行するように構成され、
前記端末装置は、請求項１３乃至２４のいずれか１項に記載の方法を実行するように構成される、方法。
【請求項３４】
ホストコンピュータ、ネットワーク装置及び端末装置を含む通信システムにおいて実装される方法であって、
前記ホストコンピュータにおいて、前記端末装置へのユーザデータを搬送する、前記ネットワーク装置を介する送信を開始すること、を含み、
前記ネットワーク装置は、請求項１乃至１２のいずれか１項に記載の方法を実行するように構成され、
前記端末装置は、請求項１３乃至２４のいずれか１項に記載の方法を実行するように構成される、方法。
【請求項３５】
ホストコンピュータを含む通信システムであって、
ユーザデータを提供するように構成される処理回路と、
端末装置からネットワーク装置への送信に由来するユーザデータを受信するように構成される通信インタフェースと、を備え、
前記ネットワーク装置は、プロセッサと、前記プロセッサにより実行可能な命令群を収容するメモリと、を備え、それにより、前記ネットワーク装置は、請求項１乃至１２のいずれか１項に記載の方法を実行するように構成され、
前記端末装置は、プロセッサと、前記プロセッサにより実行可能な命令群を収容するメモリと、を備え、それにより、前記端末装置は、請求項１３乃至２４のいずれか１項に記載の方法を実行するように構成される、通信システム。
【請求項３６】
ホストコンピュータを含む通信システムであって、
ユーザデータを提供するように構成される処理回路と、
端末装置へのユーザデータを搬送する、ネットワーク装置を介する送信を開始するように構成される通信インタフェースと、を含み、
前記ネットワーク装置は、プロセッサと、前記プロセッサにより実行可能な命令群を収容するメモリと、を備え、それにより、前記ネットワーク装置は、請求項１乃至１２のいずれか１項に記載の方法を実行するように構成され、
前記端末装置は、プロセッサと、前記プロセッサにより実行可能な命令群を収容するメモリと、を備え、それにより、前記端末装置は、請求項１３乃至２４のいずれか１項に記載の方法を実行するように構成される、通信システム。
【国際調査報告】
2021510031.tif 000018
2021510031.tif 000019